(57)【要約】      （修正有）【課題】通信を行う周波数帯を自動的に切り替える際、通信が長時間、中断してしまわないようにできる無線通信機器を提供する。【解決手段】無線通信端末２０００の制御部は、第１の周波数帯で通信中、通信品質が劣化したと判断したとき、無線通信装置１０００に対し、第２の周波数帯への切り替えを要求する要求信号を出力する。次に、無線通信装置１０００の切替準備部は、要求信号を受信すると、一定の時刻を算出し、算出した時刻に対応する信号を、無線通信装置１０００の切替実行部と、無線通信端末２０００の制御部に出力する。無線通信装置１０００の切替実行部は、時刻に対応する信号が示す時刻が経過した時に、通信を行う周波数帯を第２の周波数帯に切り替える。無線通信端末２０００の制御部も、時刻に対応する信号が示す時刻が経過した時に、通信を行う周波数帯を第２の周波数帯に切り替える。【選択図】図１６
2014068134.tif 000002
【特許請求の範囲】
【請求項１】
対向する無線通信装置と通信を行う周波数帯を、第１の周波数帯から第２の周波数帯に切り替えることが可能な無線通信端末であって、
前記第１の周波数帯で通信中、通信品質が劣化したと判断したとき、前記無線通信装置に対し、前記第２の周波数帯への切り替えを要求する要求信号を出力する制御部と、
時刻に対応する信号が入力されると、前記時刻が経過した時に、通信を行う前記第１の周波数帯を前記第２の周波数帯に切り替える周波数帯切替部と、を備える、
ことを特徴とする無線通信端末。
【請求項２】
前記第１の周波数帯で受信した信号の受信レベルを測定する受信レベル測定部と、
前記第１の周波数帯で受信した信号から通信品質に対応する値、すなわち前記受信した信号の誤り率を測定する受信レベル測定部と、をさらに備え、
前記制御部は、前記受信レベルが所定のレベル以下か、若しくは前記誤り率が所定値以上であるときに、前記通信品質が劣化したと判断する、
ことを特徴とする請求項１に記載の無線通信端末。
【請求項３】
前記周波数帯切替部は、前記第２の周波数帯への切り替えが可能であることを示す応答信号が返ってきた場合に、前記第２の周波数帯に切り替える、
ことを特徴とする請求項１乃至２のいずれか１項に記載の無線通信装置。
【請求項４】
前記無線通信装置を検出する装置検出部と、
ＧＰＳ（Ｇｌｏｂａｌ  Ｐｏｓｉｔｉｏｎｉｎｇ  Ｓｙｓｔｅｍ）衛星から受信した電波をもとに、自己の位置情報を算出するＧＰＳ機能部と、をさらに備え、
前記制御部は、前記装置検出部が前記無線通信装置を検出しているときに、通信を行う前記周波数帯と、前記ＧＰＳ機能部が算出する前記位置情報とを関連づけ、ＭＡＰ情報として記憶しておき、前記装置検出部が前記無線通信装置を再検出したときに、その際に前記ＧＰＳ機能部が算出した前記位置情報に対応する前記周波数帯をＭＡＰ情報より求め、通信を行う前記周波数帯とする、
ことを特徴とする請求項４に記載の無線通信端末。
【請求項５】
前記無線通信装置が無線ＬＡＮ（Ｌｏｃａｌ  Ａｒｅａ  Ｎｅｔｗｏｒｋ）で用いられるアクセスポイントである、
ことを特徴とする請求項１乃至４のいずれか１項に記載の無線通信端末。
【請求項６】
対向する無線通信端末と通信を行う周波数帯を、第１の周波数帯から第２の周波数帯に切り替えることが可能な無線通信装置であって、
前記無線通信端末から前記第２の周波数帯への切り替えを要求する要求信号を受信すると、一定の時刻を算出し、算出した前記時刻に対応する信号を出力する切替準備部と、
前記時刻が経過した時に、通信を行う前記第１の周波数帯を前記第２の周波数帯に切り替える切替実行部と、を備える、
ことを特徴とする無線通信装置。
【請求項７】
切替準備部は、前記要求信号を受信した時刻から所定の時間経過した時刻を、一定の時刻として算出する、
ことを特徴とする請求項６に記載の無線通信装置。
【請求項８】
切替準備部は、所定の条件に合致する場合、すなわち前記第１の周波数帯におけるノイズ量と、前記第２の周波数帯におけるノイズ量を測定し、前記第２の周波数帯でのノイズ量が、前記第１の周波数帯でのノイズ量より小さいときに、前記第２の周波数帯への切り替えが可能であることを示す応答信号を出力する、
ことを特徴とする請求項７に記載の無線通信装置。
【請求項９】
無線通信端末と無線通信装置が通信を行う無線通信システムであって、
前記無線通信端末は、請求項１乃至５のいずれか１項に記載の無線通信端末であり、
前記無線通信装置は、請求項６乃至８に記載の無線通信装置である、
ことを特徴とする、無線通信システム。
【請求項１０】
無線通信端末と無線通信装置が通信を行うための周波数帯を第１の周波数帯から第２の周波数帯に切り替える周波数帯切替方法であって、
前記無線通信端末は、前記第１の周波数帯で通信中、通信品質が劣化したと判断したとき、前記無線通信装置に対し、前記第２の周波数帯への切り替えを要求する要求信号を出力し、前記無線通信装置は、前記要求信号を受信すると、一定の時刻を算出し、算出した前記時刻に対応する信号を出力し、前記時刻が経過した時に、通信を行う前記第１の周波数帯を前記第２の周波数帯に切り替え、前記無線通信端末は、前記時刻に対応する信号を受け取ると、前記時刻が経過した時に、通信を行う前記第１の周波数帯を前記第２の周波数帯に切り替える、
ことを特徴とする周波数帯切替方法。
【発明の詳細な説明】
【技術分野】
【０００１】
本発明は、無線通信端末、無線通信装置、無線通信システム、周波数帯切替方法に関し、特に、通信が長時間、中断しないように周波数帯を切り替える無線通信端末、無線通信装置、無線通信システム、周波数帯切替方法に関する。
【背景技術】
【０００２】
一般的に、無線ＬＡＮ（Ｌｏｃａｌ  Ａｒｅａ  Ｎｅｔｗｏｒｋ）では、端末とアクセスポイント（以下、「ＡＰ」という）が、２．４ＧＨｚ帯や５ＧＨｚ帯で通信を行うことが知られている。しかしながら、端末とＡＰは、近くに電子機器が存在する場合、その電子機器から発せられた電波によって、その通信を妨害されることがある。例えば、電子レンジは一般的に２．４ＧＨｚ帯を用いるが、電子レンジが近くにあると、同じ周波数帯で通信を行っている端末とＡＰは、電子レンジからの漏洩電波によって、通信を妨害されてしまう。
【０００３】
図１は、端末とＡＰが電子機器からの電波によって通信を妨害される例を示した図である。四角で区切っている部分は、建物内の各部屋である。図１に示されるように、建物の２階に、ＡＰ１、ＡＰ２が設置されている。また、建物の１階にはＡＰ３が設置されており、さらに２．４ＧＨｚ帯の電波を用いる電子機器も設置されている。１階右下の部屋では、携帯端末が使用されており、携帯端末はＡＰ３と２．４ＧＨｚ帯で通信している。そして、携帯端末が２階左上の部屋に移動し、ＡＰ１と２．４ＧＨｚ帯で通信をしているときに、電子機器が動作したとする。このとき、携帯端末は、電子機器からの電波を受け、ＡＰ１との通信を妨害されてしまう。妨害する電波が強いと、通信が切れてしまう。
【０００４】
上述のように、電子機器が動作し、妨害電波が発生したとしても、端末とＡＰが通信を継続するための技術が、以下の特許文献１に開示されている。
【０００５】
特許文献１の無線通信機器は、ＡＰに相当するベース端末や、それに対向するポータブル端末として動作し、無線ＬＡＮシステムを構成する。ベース端末である特許文献１の無線通信装置と、ポータブル端末である特許文献１の無線通信装置は、電子レンジの使用などによって、妨害となる電波が発生したときには、それを検知する。そして、ベース端末である特許文献１の無線通信装置と、ポータブル端末である特許文献１の無線通信装置は、２．４ＧＨｚ帯および５ＧＨｚ帯を順次切り換えて一定のデータを送受する。次に、ベース端末である特許文献１の無線通信装置と、ポータブル端末である特許文献１の無線通信装置は、復調後の受信データのビット誤り率などから、最も妨害の小さい周波数帯を自動的に選択して、選択した周波数帯で無線通信を行う。
【０００６】
上述の構成や動作により、特許文献１の無線通信装置は、妨害となる電波が生じても、通信を行う周波数帯を最も妨害の小さい周波数帯に自動的に切り替えるので、対向する特許文献１の無線通信装置との通信を継続することができる。
【先行技術文献】
【特許文献】
【０００７】
【特許文献１】特開２００２−３３７１４号公報
【発明の概要】
【発明が解決しようとする課題】
【０００８】
しかし、特許文献１の無線通信装置は、通信を行う周波数帯を自動的に切り替えるが、切り替える際、通信が長時間、中断してしまうという課題があった。なぜならば、特許文献１の無線通信機器は、周波数帯を切り替えても、その時、対向する特許文献１の無線通信機器も周波数帯を切り替えているとは限らないからである。特許文献１の無線通信機器と、対向する特許文献１の無線通信機器の両方の周波数帯が切り替わっていないと、その間中、通信は中断してしまう。
【０００９】
本発明は、上記課題を解決する無線通信端末、無線通信装置、無線通信システム、周波数帯切替方法を提供することを目的とする。
【課題を解決するための手段】
【００１０】
上記目的を達成するために、本発明の無線通信端末は、対向する無線通信装置と通信を行う周波数帯を、第１の周波数帯から第２の周波数帯に切り替えることが可能な無線通信端末であって、前記第１の周波数帯で通信中、通信品質が劣化したと判断したとき、前記無線通信装置に対し、前記第２の周波数帯への切り替えを要求する要求信号を出力する制御部と、時刻に対応する信号が入力されると、前記時刻が経過した時に、通信を行う前記第１の周波数帯を前記第２の周波数帯に切り替える周波数帯切替部と、を備える。
【００１１】
上記目的を達成するために、本発明の無線通信装置は、対向する無線通信端末と通信を行う周波数帯を、第１の周波数帯から第２の周波数帯に切り替えることが可能な無線通信装置であって、前記無線通信端末から前記第２の周波数帯への切り替えを要求する要求信号を受信すると、一定の時刻を算出し、算出した前記時刻に対応する信号を出力する切替準備部と、前記時刻が経過した時に、通信を行う前記第１の周波数帯を前記第２の周波数帯に切り替える切替実行部と、を備える。
【００１２】
上記目的を達成するために、本発明の無線通信システムは、無線通信端末と無線通信装置が通信を行う無線通信システムであって、前記無線通信端末は、対向する無線通信装置と通信を行う周波数帯を、第１の周波数帯から第２の周波数帯に切り替えることが可能な無線通信端末であって、前記第１の周波数帯で通信中、通信品質が劣化したと判断したとき、前記無線通信装置に対し、前記第２の周波数帯への切り替えを要求する要求信号を出力する制御部と、時刻に対応する信号が入力されると、前記時刻が経過した時に、通信を行う前記第１の周波数帯を前記第２の周波数帯に切り替える周波数帯切替部と、を備え、前記無線通信装置は、対向する無線通信端末と通信を行う周波数帯を、第１の周波数帯から第２の周波数帯に切り替えることが可能な無線通信装置であって、前記無線通信端末から前記第２の周波数帯への切り替えを要求する要求信号を受信すると、一定の時刻を算出し、算出した前記時刻に対応する信号を出力する切替準備部と、前記時刻が経過した時に、通信を行う前記第１の周波数帯を前記第２の周波数帯に切り替える切替実行部と、を備える。
【００１３】
上記目的を達成するために、本発明の周波数帯切替方法は、無線通信端末と無線通信装置が通信を行うための周波数帯を第１の周波数帯から第２の周波数帯に切り替える周波数帯切替方法であって、前記無線通信端末は、前記第１の周波数帯で通信中、通信品質が劣化したと判断したとき、前記無線通信装置に対し、前記第２の周波数帯への切り替えを要求する要求信号を出力し、前記無線通信装置は、前記要求信号を受信すると、一定の時刻を算出し、算出した前記時刻に対応する信号を出力し、前記時刻が経過した時に、通信を行う前記第１の周波数帯を前記第２の周波数帯に切り替え、前記無線通信端末は、前記時刻に対応する信号を受け取ると、前記時刻が経過した時に、通信を行う前記第１の周波数帯を前記第２の周波数帯に切り替える。
【発明の効果】
【００１４】
本発明によれば、無線通信機器は、通信を行う周波数帯を自動的に切り替える際、通信が長時間、中断してしまわないようにすることができる。
【図面の簡単な説明】
【００１５】
【図１】端末とＡＰが電子機器からの電波によって通信を妨害される例を示した図である。
【図２】本発明の第１の実施の形態における無線通信システムの構成例を示す図である。
【図３】本発明の第１の実施の形態における無線通信装置の構成例を示す図である。
【図４】本発明の第１の実施の形態における無線通信端末の構成例を示す図である。
【図５】本発明の第１の実施の形態における無線通信端末のＡＰを検出していないときの動作を説明する為の図である。
【図６】本発明の第１の実施の形態における無線通信端末のＡＰを検出していないときの動作（図５の処理Ａ部分）を説明する為の図である。
【図７Ａ】本発明の第１の実施の形態における無線通信装置の対応周波数帯確認信号を受信したときの動作を説明する為の図である。
【図７Ｂ】本発明の第１の実施の形態における無線通信装置の周波数帯切替要求信号を受信したときの動作を説明する為の図である。
【図８】本発明の第１の実施の形態における無線通信端末のＡＰを検出しているときの動作を説明する為の図である。
【図９】本発明の第１の実施の形態における無線通信端末のＡＰを検出しているときの動作（図８の処理Ｃ部分の動作）を説明する為の図である。
【図１０】本発明の第２の実施の形態における無線通信端末の構成例を示す図である。
【図１１】本発明の第２の実施の形態における無線通信端末が使用するＭＡＰ情報の具体例である。
【図１２】本発明の第２の実施の形態における無線通信端末のＡＰを検出していないときの動作を説明する為の図である。
【図１３】本発明の第２の実施の形態における無線通信端末のＡＰを検出しているときの動作を説明する為の図である。
【図１４】本発明の第２の実施の形態における無線通信端末のＡＰを検出しているときの動作（図１３の処理Ｅ部分の動作）を説明する為の図である。
【図１５】本発明の第２の実施の形態における、位置情報付きＡＰ情報群の具体例である。
【図１６】本発明の第３の実施の形態における無線通信システムの構成例を示す図である。
【発明を実施するための形態】
【００１６】
次に本発明の実施形態について、図面を参照して詳細に説明する。
【００１７】
［第１の実施の形態］
［構成の説明］
図２は、本発明の第１の実施の形態における無線通信システムの構成例を示す図である。また、図３は、本発明の第１の実施の形態における無線通信装置の構成例を示す図である。さらに、図４は、本発明の第１の実施の形態における無線通信端末の構成例を示す図である。
【００１８】
（１）本発明の第１の実施の形態における無線通信システムの構成
まず、第１の実施の形態における無線通信システムは、図２に示されるように、無線通信装置１０と無線通信端末２０から構成される。無線通信装置１０と無線通信端末２０は、無線にて接続される。
【００１９】
（２）無線通信装置１０の構成と機能
無線通信装置１０は、無線ＬＡＮのアクセスポイント（以下、「ＡＰ」という）であり、図３に示されるように、通信機能部１００と、切替準備部１０１と、切替実行部１０２を含む。通信機能部１００、切替準備部１０１、及び切替実行部１０２は互いに接続される。
【００２０】
通信機能部１００は、電子回路やＦＰＧＡ（Ｆｉｅｌｄ−Ｐｒｏｇｒａｍｍａｂｌｅ  Ｇａｔｅ  Ａｒｒａｙ）を用いて実現することができる。また、通信機能部１００は、ＲＯＭ（Ｒｅａｄ  Ｏｎｌｙ  Ｍｅｍｏｒｙ）等のメモリを備える。さらに、切替準備部１０１と切替実行部１０２は、電子回路やＦＰＧＡ、さらにＤＳＰ（Ｄｉｇｉｔａｌ  Ｓｉｇｎａｌ  Ｐｒｏｃｅｓｓｏｒ）やＣＰＵ（Ｃｅｎｔｒａｌ  Ｐｒｏｃｅｓｓｉｎｇ  Ｕｎｉｔ）等を用いて実現することができる。
【００２１】
通信機能部１００は、一般的な無線通信機能を有する。また、通信機能部１００は、通信を行う周波数帯として、２．４ＧＨｚ帯、５ＧＨｚ帯の一方、若しくは両方に対応する。通信機能部１００が、２．４ＧＨｚ帯、５ＧＨｚ帯の一方に対応するのか、若しくは両方に対応するのかは、一般的なＡＰと同様、無線通信装置１０の製造者によって決定される。通信機能部１００は、対応する周波数帯を表す情報（以下、「対応周波数帯情報」という）を、無線通信装置１０の製造者やユーザによって、自身に備わるＲＯＭ（Ｒｅａｄ  Ｏｎｌｙ  Ｍｅｍｏｒｙ）等のメモリに設定され、保持する。さらに、通信機能部１００は、自身が対応する周波数帯が何かを確認する信号（以下、「対応周波数帯確認信号」）が入力されると、自身が保持する対応周波数帯情報を取得し、対応周波数帯情報を無線信号にして出力する。また、通信機能部１００は、通信を行う周波数帯の変更を要求する信号（以下、「周波数帯切替要求信号」という）が入力されると、入力された周波数帯切替要求信号を出力すると共に、自身が保持する対応周波数帯情報を取得する。通信機能部１００は、取得した対応周波数帯情報から、自身が２．４ＧＨｚ帯と５ＧＨｚ帯の両方に対応するかどうかを確認する。通信機能部１００は、自身が２．４ＧＨｚ帯と５ＧＨｚ帯の両方に対応する場合、２．４ＧＨｚ帯と５ＧＨｚ帯の両方に対応することを表す信号（以下、「両周波数帯対応信号」という）を出力する。また、通信機能部１００は、通信開始後、２．４ＧＨｚ帯と５ＧＨｚ帯のどちらの周波数帯で通信を行っているかを公知の機能で認識し、認識した周波数帯を表す信号（以下、「使用周波数帯対応信号」という）を出力する。さらに、通信機能部１００は、通信中、所定の周期毎に、パケットを送信中かを公知の機能で把握し、パケット送信中であるか、若しくはパケット送信中でないことを示す信号（以下、「送信状態確認信号」という）を出力する。また、通信機能部１００は、周波数帯を示す信号が入力されると、その信号が示す周波数に、通信を行う周波数帯を切り替える。所定の周期は、本実施形態の無線通信装置１０のユーザによって、通信機能部１００に設定される。
【００２２】
切替準備部１０１は、上述した周波数帯切替要求信号と、両周波数帯対応信号と、使用周波数帯対応信号とが入力されると、使用周波数帯対応信号から、通信に使用している周波数帯を確認する。さらに、切替準備部１０１は、通信に使用している周波数帯を別の周波数帯に変更して通信可能か否かを、所定の条件を満たすかどうかにより判断する。具体的には、切替準備部１０１は、通信に使用している周波数帯でのノイズ量と、別の周波数帯でのノイズ量を公知の技術で測定し、別の周波数帯でのノイズ量が、通信に使用している周波数帯でのノイズ量より小さい場合に別の周波数帯に変更可能と判断する。また、切替準備部１０１は、別の周波数帯に変更して通信可能と判断すると、別の周波数帯に切り替えても通信可能であることを示す応答信号を出力する。さらに、切替準備部１０１は、別の周波数帯に切り替えても通信可能であることを示す応答信号を出力すると、一定の時刻を算出し、算出した一定の時刻を示す信号も出力する。具体的には、切替準備部１０１は、時刻機能を有し、周波数帯切替要求信号を受信した時刻から所定の時間経過した時刻を、一定の時刻として算出する。所定の時間は、本実施形態の無線通信装置１０のユーザによって、切替準備部１０１に設定される。なお、切替準備部１０１は、入力される送信状態確認信号から通信機能部１００がパケット送信中でないことを認識した上で、一定の時刻を算出する。また、切替準備部１０１は、別の周波数帯に変更して通信可能でないと判断すると、切り替え不可であることを示す応答信号を出力する。
【００２３】
切替実行部１０２は、一定の時刻を示す信号が入力されると、一定の時間経過時に、通信を行う周波数帯とは別の周波数帯を示す信号（以下、「切替周波数帯信号」という）を出力する。
【００２４】
（３）無線通信端末２０の構成と機能
無線通信端末２０は、無線ＬＡＮに対応した端末である。
【００２５】
無線通信端末２０は、図４に示される通り、アンテナ２０１と、分配部２０２と、２．４ＧＨｚ用無線部２０３と、５ＧＨｚ用無線部２０４と、変復調部２０５と、受信レベル測定部２０６を含む。さらに、無線通信端末２０は、受信品質測定部２０７と、制御部２０８と、ＡＰ検出部２０９と、周波数帯切替部２１０と、ＡＰ情報等記憶部２１１を含む。
【００２６】
分配部２０２は、図４に示される通り、アンテナ２０１と、２．４ＧＨｚ用無線部２０３と、５ＧＨｚ用無線部２０４に接続される。また、変復調部２０５は、２．４ＧＨｚ用無線部２０３と、５ＧＨｚ用無線部２０４と、受信レベル測定部２０６と、周波数帯切替部２１０に接続される。さらに、受信レベル測定部２０６は、受信品質測定部２０７と接続され、周波数帯切替部２１０は、２．４ＧＨｚ用無線部２０３と、５ＧＨｚ用無線部２０４に接続される。そして、制御部２０８は、変復調部２０５と、受信品質測定部２０７と、ＡＰ検出部２０９と、周波数帯切替部２１０と、ＡＰ情報等記憶部２１１に接続される。
【００２７】
２．４ＧＨｚ用無線部２０３と、５ＧＨｚ用無線部２０４と、変復調部２０５は、電子回路やＦＰＧＡ（Ｆｉｅｌｄ−Ｐｒｏｇｒａｍｍａｂｌｅ  Ｇａｔｅ  Ａｒｒａｙ）を用いて実現することができる。受信レベル測定部２０６、受信品質測定部２０７、制御部２０８、ＡＰ検出部２０９、および周波数帯切替部２１０は、電子回路、ＦＰＧＡ以外にＤＳＰやＣＰＵ等を用いて実現してもよい。ＡＰ情報等記憶部２１１は、ＲＡＭ（Ｒａｎｄｏｍ  Ａｃｃｅｓｓ  Ｍｅｍｏｒｙ）等のメモリによって実現される。分配部２０２は、分波器やデュプレクサによって実現される。
【００２８】
アンテナ２０１は、一般的な無線ＬＡＮに対応したアンテナである。すなわち、アンテナ２０１は、入力される高周波信号を、一般的な無線ＬＡＮで使用される電波（以下、「無線ＬＡＮの電波」という）にして放出する。また、アンテナ２０１は、入力された無線ＬＡＮの電波を高周波信号として出力する。
【００２９】
分配部２０２は、高周波信号が入力されると、２．４ＧＨｚ帯と５ＧＨｚ帯の高周波信号に分けてそれぞれを出力する。また、分配部２０２は、２．４ＧＨｚ帯と５ＧＨｚ帯の高周波信号が入力されると、それらを出力する。
【００３０】
２．４ＧＨｚ用無線部２０３は、２．４ＧＨｚ帯の高周波信号が入力されると、フィルタリングや増幅等を行い、中間周波信号に変換して出力する。２．４ＧＨｚ用無線部２０３は、中間周波信号が入力されると、フィルタリングや増幅等を行い、２．４ＧＨｚ帯の高周波信号に変換して出力する。２．４ＧＨｚ用無線部２０３は、動作開始を要求する信号（制御部２０８の機能説明に後述）が入力されると、上述の機能を実行する。また、２．４ＧＨｚ用無線部２０３は、動作停止を要求する信号（制御部２０８の機能説明に後述）が入力されると、上述の機能を停止する。
【００３１】
５ＧＨｚ用無線部２０４は、５ＧＨｚ帯の高周波信号が入力されると、フィルタリングや増幅等を行い、中間周波信号に変換して出力する。５ＧＨｚ用無線部２０４は、変調された中間周波信号が入力されると、フィルタリングや増幅等を行い、５ＧＨｚ帯の高周波信号に変換して出力する。５ＧＨｚ用無線部２０４は、動作開始を要求する信号（制御部２０８の機能説明に後述）が入力されると、上述の機能を実行する。また、５ＧＨｚ用無線部２０４は、動作停止を要求する信号（制御部２０８の機能説明に後述）が入力されると、上述の機能を停止する。
【００３２】
変復調部２０５は、入力される中間周波信号を復調し、ベースバンド信号に変換して出力する。変復調部２０５は、ベースバンド信号が入力されると、変調して出力する。また、変復調部２０５は、入出力先を指示する信号が入力されると、その信号に従って、入出力先を切り替える。
【００３３】
受信レベル測定部２０６は、入力されるベースバンド信号の信号レベル（以下、「受信レベル」という）を測定し、入力されたベースバンド信号と共に、測定した受信レベルを出力する。
【００３４】
受信品質測定部２０７は、入力されるベースバンド信号の通信品質に対応する値を測定する。測定した通信品質に対応する値は、ベースバンド信号の誤り率、すなわちＢＬＥＲ（Ｂｌｏｃｋ  Ｅｒｒｏｒ  Ｒａｔｅ）であってもよい。受信品質測定部２０７は、ベースバンド信号、受信レベル、及び通信品質に対応する値を出力する。
【００３５】
制御部２０８は、ＡＰ検出部２０９がＡＰを検出しているかどうかを示す値（以下、「ＡＰ検出有無値」という）を保持する。制御部２０８は、起動すると、ＡＰ検出有無値を、ＡＰ検出部２０９がＡＰを検出していないことを示す値に設定する。さらに、制御部２０８は、ＡＰ検出有無値がＡＰを検出していないことを示す値であれば、ＡＰの検出を行うことを指示する信号を出力する。また、制御部２０８は、ＡＰの検出を行うことを指示する信号を出力した後、ＡＰ検出を示す信号が入力されると、ＡＰ検出有無値を、ＡＰを検出していることを示す値に変更する。さらに、制御部２０８は、２．４ＧＨｚ帯を示す信号をに出力し、その結果、２．４ＧＨｚ帯で通信を行う状態となると、検出したＡＰに対応する周波数帯が何かを確認する信号、すなわち対応周波数帯確認信号を、公知の技術でベースバンド信号に変換して出力する。そして、制御部２０８は、対応周波数帯確認信号を出力した結果、上述した対応周波数帯情報を受信すれば、対応周波数帯情報から、検出しているＡＰが２．４ＧＨｚ帯に対応するのか、５ＧＨｚ帯に対応するのか、若しくは両方に対応するのかを検知する。制御部２０８は、所定の時間経過後、２．４ＧＨｚ帯で対応周波数帯情報を受信できないときは、５ＧＨｚ帯を示す信号を出力する。制御部２０８は、５ＧＨｚ帯を示す信号を出力した結果、５ＧＨｚ帯で通信を行える状態となると、再度、対応周波数帯確認信号を出力する。その結果、制御部２０８は、対応周波数帯情報を受信すれば、対応周波数帯情報から、検出しているＡＰが２．４ＧＨｚ帯に対応するのか、５ＧＨｚ帯に対応するのか、若しくは両方に対応するのかを検知する。制御部２０８は、検出しているＡＰが２．４ＧＨｚ帯に対応するのか、５ＧＨｚ帯に対応するのか、若しくは両方に対応するのかを検知した後、ＡＰの検出を停止することを指示する信号を出力する。制御部２０８は、検出したＡＰが２．４ＧＨｚ帯と５ＧＨｚ帯の両方に対応する場合、入力される受信レベルが所定のレベルより大きく、且つ、入力される通信品質に対応する値が所定の値よりも小さいときには、対応周波数帯情報を受信した周波数帯で通信を行う。また、制御部２０８は、通信を行う周波数帯を記憶する。なお、上述の所定のレベルや所定の値は、本実施形態の無線通信端末２０のユーザによって、制御部２０８に設定される。制御部２０８は、入力される受信レベルが所定のレベル以下、若しくは通信品質に対応する値が所定の値以上のときは、対応周波数帯情報を受信した周波数帯とは別の周波数帯に切り替えるべきと判断する。別の周波数帯に切り替えることを判断した制御部２０８は、現在、通信を行う周波数帯（対応周波数帯情報を受信した周波数帯）を別の周波数帯に変更することを要求する信号、すなわち周波数帯切替要求信号をベースバンド信号として出力する。制御部２０８は、周波数帯切替要求信号を出力した結果、現在、通信を行う周波数帯を別の周波数帯に切り替えても通信可能か否かを示す応答信号と、時刻を示す信号が入力される。制御部２０８は、応答信号が、別の周波数帯に切り替えても通信可能であることを示す信号かを確認する。応答信号が、別の周波数帯に切り替えても通信可能である信号である場合、制御部２０８は、入力された時刻を示す信号と、別の周波数帯を示す信号とを出力する。また、制御部２０８は、通信を行う周波数帯を記憶した後、検出したＡＰに対応する識別子（以下、「ＡＰ識別情報という」）、通信を行う周波数帯、対応周波数帯情報を関連づけたＡＰ情報群をＡＰ情報等記憶部２１１に格納する。さらに、制御部２０８は、ＡＰ情報等記憶部２１１にＡＰ識別情報等の情報を格納した後、ＡＰ検出有無値が、ＡＰを検出していることを示す値であるかを確認する。また、制御部２０８は、ＡＰ検出有無値が、ＡＰを検出していることを示す値であれば、ＡＰの検出を行うことを指示する信号を出力する。制御部２０８は、所定の時間、ＡＰ検出を示す信号が入力されない場合、ＡＰ検出有無値を、ＡＰを検出していないことを示す値にし、また、ＡＰの検出を停止することを指示する信号を出力する。所定の時間は、本実施形態の無線通信端末２０のユーザによって、制御部２０８に設定される。所定の時間は、所定の周期よりも長い。制御部２０８は、ＡＰ検出を示す信号が入力されると、ＡＰ情報等記憶部２１１に格納されているＡＰ情報群を取得する。そして、制御部２０８は、検出したＡＰのＡＰ識別情報に関連する対応周波数帯情報をＡＰ情報群から求め、対応周波数帯情報から検出したＡＰが２．４ＧＨｚ帯と５ＧＨｚ帯の両方に対応するかを、確認する。制御部２０８は、検出したＡＰが２．４ＧＨｚ帯と５ＧＨｚ帯の両方に対応する場合は、再度別の周波数帯に切り替えるか判断し、切り替える場合には、再度、対応周波数帯確認信号を出力し、その結果、対応周波数帯確認情報を得る。対応周波数帯確認情報を得た制御部２０８は、ＡＰ識別情報、その時通信した周波数帯、および対応周波数帯確認情報を関連づけてＡＰ情報等記憶部２１１に再格納する。
【００３６】
ＡＰ検出部２０９は、ＡＰの検出を行うことを指示する信号が入力されると、公知の技術で通信可能な無線通信装置１０、すなわちＡＰの存在を検出（以下、「ＡＰを検出」という）する。ＡＰ検出部２０９は、ＡＰを検出した場合、ＡＰ検出を示す信号と、検出したＡＰに対応する識別子、すなわちＡＰ識別情報とを出力する。ＡＰ検出部２０９は、ＡＰの検出を停止することを指示する信号を受信したＡＰ検出部２０９は、ＡＰを検出する動作を停止する。
【００３７】
周波数帯切替部２１０は、時計機能を有する。周波数を示す信号と、時刻を示す信号が入力されると、周波数帯を示す信号から周波数帯を、時刻を示す信号から時刻を認識する。周波数帯切替部２１０は、認識した時刻になると、無線通信装置１０が通信を行う周波数帯を、認識した周波数帯に切り替えるように制御を行う。具体的には、周波数帯切替部２１０は、認識した周波数帯が２．４ＧＨｚ帯である場合、認識した時刻になると、動作開始を要求する信号を２．４ＧＨｚ用無線部２０３に出力し、また、動作停止を要求する信号を５ＧＨｚ用無線部２０４に出力する。さらに、周波数帯切替部２１０は、変復調部２０５に２．４ＧＨｚ用無線部２０３を入出力先とする信号を出力する。また、周波数帯切替部２１０は、認識した周波数帯が５ＧＨｚ帯である場合、認識した時刻になると、動作開始を要求する信号を５ＧＨｚ用無線部２０４に出力し、動作停止を要求する信号を２．４ＧＨｚ用無線部２０３に出力する。さらに、周波数帯切替部２１０は、変復調部２０５に５ＧＨｚ用無線部２０４を入出力とする信号を出力する。なお、周波数帯切替部２１０は、周波数を示す信号のみが入力されると、周波数帯を示す信号から周波数帯を認識する。さらに、周波数帯切替部２１０は、周波数を示す信号が入力された時刻から所定の時間が経過した時に、上述の通り、認識した周波数帯に切り替えるように制御を行う。所定の時間は、本実施形態の無線通信端末２０のユーザによって、周波数帯切替部２１０に設定される。
【００３８】
ＡＰ情報等記憶部２１１は、ＲＡＭ（Ｒａｎｄｏｍ  Ａｃｃｅｓｓ  Ｍｅｍｏｒｙ）等のメモリである。
【００３９】
［動作の説明］
図５は、本発明の第１の実施の形態における無線通信端末のＡＰを検出していないときの動作を説明する為の図である。図６は、本発明の第１の実施の形態における無線通信端末のＡＰを検出していないときの動作（図５の処理Ａ部分）を説明する為の図である。さらに、図７Ａは、本発明の第１の実施の形態における無線通信装置の対応周波数帯確認信号を受信したときの動作を説明する為の図である。図７Ｂは、本発明の第１の実施の形態における無線通信装置の周波数帯切替要求信号を受信したときの動作を説明する為の図である。図５〜図７Ｂを用いて、無線通信装置１０と無線通信端末２０の動作それぞれについて説明を行う。なお、無線通信端末２０は、ＡＰを検出していないときと、ＡＰを検出しているときで動作が異なる。さらに、無線通信端末２０は、ＡＰを検出していないときの動作と、ＡＰを検出しているときの動作の中で、周波数帯設定動作や送信・受信動作を行う。無線通信端末２０の動作については、周波数帯設定動作や送信・受信動作を説明した上で、無線通信端末２０のＡＰを検出していないときの動作と、ＡＰを検出しているときの動作を説明する。
【００４０】
（１）無線通信端末２０の周波数帯設定動作
まず、無線通信端末２０の周波数帯設定動作について説明をする。周波数帯設定動作とは、通信を行う周波数帯が各機能部（すなわち、周波数帯切替部２１０と、２．４ＧＨｚ用無線部２０３と、５ＧＨｚ用無線部２０４と、変復調部２０５）に設定される動作のことであり、以下の通りに行われる。
【００４１】
まず、無線通信端末２０の周波数帯切替部２１０は、周波数帯を示す信号と、時刻を示す信号が制御部２０８から入力されると、周波数帯を示す信号から周波数帯を、時刻を示す信号から時刻を認識する。また、無線通信端末２０の周波数帯切替部２１０は、周波数帯を示す信号のみが入力された場合には、周波数帯を示す信号から周波数帯を認識し、さらに、周波数を示す信号が入力された時刻から所定の時間が経過した時刻を認識する。周波数帯切替部２１０は、認識した周波数帯が２．４ＧＨｚ帯であった場合には、認識した時刻になると、動作開始を要求する信号を２．４ＧＨｚ用無線部２０３に出力し、動作停止を要求する信号を５ＧＨｚ用無線部２０４に出力する。２．４ＧＨｚ用無線部２０３は、動作開始を要求する信号が入力されると、その機能を動作させる。すなわち、２．４ＧＨｚ用無線部２０３は、分配部２０２から入力される高周波信号を中間周波信号に変換して変復調部２０５に出力する。また、２．４ＧＨｚ用無線部２０３は、変復調部２０５から入力される中間周波信号を高周波信号に変換して分配部２０２に出力する。５ＧＨｚ用無線部２０４は、動作停止を要求する信号が入力されると、その機能を停止する。さらに、周波数帯切替部２１０は、認識した時刻になると、変復調部２０５に対し、２．４ＧＨｚ用無線部２０３を入出力先とすることを指示する信号を出力する。変復調部２０５は、２．４ＧＨｚ用無線部２０３を入出力先とすることを指示する信号が入力されると、２．４ＧＨｚ用無線部２０３から入力される中間周波信号を復調し、ベースバンド信号に変換して受信レベル測定部２０６に出力する。さらに、変復調部２０５は、制御部２０８から入力されるベースバンド信号を変調して、２．４ＧＨｚ用無線部２０３に出力する。
【００４２】
上述の２．４ＧＨｚ帯を示す信号が入力された場合の各機能部の動作を、以下「２．４ＧＨｚ帯を設定する動作」という。
【００４３】
また、周波数帯切替部２１０は、認識した周波数帯が５ＧＨｚ帯であった場合には、認識した時刻になると、動作開始を要求する信号を５ＧＨｚ用無線部２０４に出力し、動作停止を要求する信号を２．４ＧＨｚ用無線部２０３に出力する。５ＧＨｚ用無線部２０４は、動作開始を要求する信号が入力されると、その機能を動作させる。すなわち、５ＧＨｚ用無線部２０４は、分配部２０２から入力される高周波信号を中間周波信号に変換して変復調部２０５に出力する。また、５ＧＨｚ用無線部２０４は、変復調部２０５から入力される中間周波信号を高周波信号に変換して分配部２０２に出力する。２．４ＧＨｚ用無線部２０３は、動作停止を要求する信号が入力されると、その機能を停止する。さらに、周波数帯切替部２１０は、認識した時刻になると、変復調部２０５に対し、５ＧＨｚ用無線部２０４を入出力先とすることを指示する信号を出力する。変復調部２０５は、５ＧＨｚ用無線部２０４を入出力先とすることを指示する信号が入力されると、５ＧＨｚ用無線部２０４から入力される中間周波信号を復調し、ベースバンド信号に変換して受信レベル測定部２０６に出力する。さらに、変復調部２０５は、制御部２０８から入力されるベースバンド信号を変調して、５ＧＨｚ用無線部２０４に出力する。
【００４４】
上述の５ＧＨｚ帯を示す信号が入力された場合の各機能部の動作を、以下「５ＧＨｚ帯を設定する動作」という。
【００４５】
（２）無線通信端末２０の送信動作
上述の周波数帯設定動作が行われた後、無線通信端末２０は、送信動作を行う。送信動作とは、無線通信端末２０の制御部２０８が、送信したいパケットデータや制御信号を電波として出力する動作であり、以下の通りに行われる。
【００４６】
まず、制御部２０８は、送信したいパケットデータや制御信号を公知の技術でベースバンド信号に変換し、ベースバンド信号を変復調部２０５に出力する。変復調部２０５は、入力されたベースバンド信号を変調し、中間周波信号を生成する。このとき、上述の「２．４ＧＨｚ帯を設定する動作」が行われていれば、変復調部２０５は、中間周波信号を２．４ＧＨｚ用無線部２０３に出力する。２．４ＧＨｚ用無線部２０３は、中間周波信号が入力されると、フィルタリングや増幅等を行い、２．４ＧＨｚ帯の高周波信号に変換して分配部２０２に出力する。分配部２０２は、高周波信号が入力されると、アンテナ２０１を介して電波とし、無線通信装置１０に向けて放出する。
【００４７】
上述の２．４ＧＨｚ帯で送信する場合の各機能部の動作を、以下「２．４ＧＨｚ帯送信動作」という。
【００４８】
なお、変復調部２０５は、中間周波信号を生成したとき、上述の「５ＧＨｚ帯を設定する動作」が行われていれば、中間周波信号を５ＧＨｚ用無線部２０４に出力する。５ＧＨｚ用無線部２０４は、中間周波信号が入力されると、フィルタリングや増幅等を行い、５ＧＨｚ帯の高周波信号に変換して分配部２０２に出力する。分配部２０２は、高周波信号が入力されると、アンテナ２０１を介して電波とし、無線通信装置１０に向けて放出する。
【００４９】
上述の５ＧＨｚ帯で送信する場合の各機能部の動作を、以下「５ＧＨｚ帯送信動作」という。
【００５０】
（３）無線通信端末２０の受信動作
無線通信端末２０は、通信周波数帯の設定が行われた後、以下の受信動作を行う。
【００５１】
まず、アンテナ２０１は、受信した電波を高周波信号に変換し、分配部２０２に出力する。次に、分配部２０２は、高周波信号が入力されると、２．４ＧＨｚ帯と５ＧＨｚ帯の高周波信号に分けて、それぞれを２．４ＧＨｚ用無線部２０３と５ＧＨｚ用無線部２０４に出力する。
【００５２】
このとき、上述の「２．４ＧＨｚ帯を設定する動作」が行われていれば、２．４ＧＨｚ用無線部２０３が、入力された２．４ＧＨｚ帯の高周波信号に対し、フィルタリングや増幅等を行い、中間周波信号に変換して変復調部２０５に出力する。次に、変復調部２０５は、２．４ＧＨｚ用無線部２０３から中間周波信号が入力されると、復調してベースバンド信号に変換し、受信レベル測定部２０６に出力する。
【００５３】
なお、上述の「５ＧＨｚ帯を設定する動作」が行われていれば、５ＧＨｚ用無線部２０４が、入力された５ＧＨｚ帯の高周波信号に対し、フィルタリングや増幅等を行い、中間周波信号に変換して変復調部２０５に出力する。次に、変復調部２０５は、５ＧＨｚ用無線部２０４から中間周波信号が入力されると、復調してベースバンド信号に変換して受信レベル測定部２０６に出力する。
【００５４】
次に、受信レベル測定部２０６は、変復調部２０５からベースバンド信号が入力されると、その信号レベル、すなわち受信レベルを測定し、測定した受信レベルと、入力されたベースバンド信号とを受信品質測定部２０７に出力する。
次に、受信品質測定部２０７は、受信レベルとベースバンド信号が入力されると、ベースバンド信号の通信品質に対応する値を測定する。上述の通信品質に対応する値は、ＢＬＥＲであってもよい。受信品質測定部２０７は、ベースバンド信号、受信レベル、及び通信品質に対応する値を制御部２０８に出力する。
【００５５】
（４）無線通信端末２０のＡＰを検出していないときの動作
無線通信端末２０は、ＡＰを検出していないとき、以下の動作を行う。具体的には、無線通信端末２０の制御部２０８は、自身が保持しているＡＰ検出有無値を確認し、ＡＰ検出部２０９がＡＰを検出していないことを示す値であれば、以下の動作を行う。なお、無線通信端末２０は、起動すると、ＡＰ検出有無値がＡＰを検出していないことを示す値に設定されているので、以下の動作を行うこととなる。
【００５６】
まず、無線通信端末２０の制御部２０８は、ＡＰの検出を行うことを指示する信号をＡＰ検出部２０９に出力すると、ＡＰ検出部２０９は、図５に示されるように、所定の周期毎に、ＡＰの検出を公知の方法で行う（Ｓ３００）。所定の周期は、本実施形態の無線通信端末２０のユーザによって、ＡＰ検出部２０９に設定される。
【００５７】
次に、無線通信端末２０は、ＡＰの検出ができた場合（Ｓ３００でＹＥＳの場合）、検出したＡＰが２．４ＧＨｚ帯に対応するのか、５ＧＨｚ帯に対応するのか、若しくは両方に対応するのかをＡＰに問い合わせる（Ｓ３０１）。
【００５８】
具体的には、ＡＰ検出部２０９は、ＡＰを検出した場合、ＡＰ検出を示す信号と、検出したＡＰに対応する識別子、すなわちＡＰ識別情報とを制御部２０８に出力する。ＡＰ検出を示す信号が入力された制御部２０８は、自身が保持しているＡＰ検出有無値を、ＡＰを検出していることを示す値に変更する。さらに、制御部２０８は、２．４ＧＨｚ帯を示す信号を周波数帯切替部２１０に出力する。２．４ＧＨｚ帯を示す信号が入力された周波数帯切替部２１０は、２．４ＧＨｚ用無線部２０３等を用いて、上述の「周波数帯設定動作」を行い、無線通信端末２０が２．４ＧＨｚ帯で通信を行える状態となる。次に、制御部２０８は、ＡＰが対応する周波数帯が何かを通知するよう要求する信号、すなわち対応周波数帯確認信号を、公知の技術でベースバンド信号に変換して変復調部２０５に出力する。変復調部２０５は、上述した「２．４ＧＨｚ帯送信動作」を行って、対応周波数帯確認信号を２．４ＧＨｚ帯で、ＡＰに出力する。次に、後述の「（５）無線通信装置１０の動作」に記載するが、ＡＰ、すなわち無線通信装置１０は、対応周波数帯確認信号を受信した場合、自身がどのような周波数帯に対応しているのかを示す情報、すなわち対応周波数帯情報を返してくる。次に、制御部２０８は、上述の「受信動作」により対応周波数帯情報を受信すると、対応周波数帯情報から、検出したＡＰが２．４ＧＨｚ帯に対応するのか、５ＧＨｚ帯に対応するのか、若しくは両方に対応するのかを検知する。なお、対向する無線通信装置１０が２．４ＧＨｚ帯に対応していないこともあるので、制御部２０８は、所定の時間経過後、対応周波数帯情報を受信できないときは、５ＧＨｚ帯を示す信号を周波数帯切替部２１０に出力する。５ＧＨｚ帯を示す信号が入力された周波数帯切替部２１０は、５ＧＨｚ用無線部２０４等を用いて、上述の「周波数帯設定動作」を行い、無線通信端末２０が５ＧＨｚ帯で通信を行える状態となる。次に、制御部２０８は、対応周波数帯確認信号を、公知の技術でベースバンド信号に変換して変復調部２０５に出力する。変復調部２０５は、上述した「５ＧＨｚ帯送信動作」を行って、対応周波数帯確認信号を５ＧＨｚ帯で、ＡＰに出力する。次に、制御部２０８は、上述の「受信動作」により対応周波数帯情報を受信すると、対応周波数帯情報から、検出したＡＰが２．４ＧＨｚ帯に対応するのか、５ＧＨｚ帯に対応するのか、若しくは両方に対応するのかを検知する。ここで、制御部２０８は、対応周波数帯情報を受信した周波数帯を記憶する。次に、制御部２０８は、ＡＰの検出を停止することを指示する信号をＡＰ検出部２０９に出力し、その信号を受信したＡＰ検出部２０９は、ＡＰの検出する動作を停止する。
【００５９】
次に、無線通信端末２０は、ＡＰの検出ができなかった場合（Ｓ３００でＮｏの場合）には、ＡＰの検出を行う次の周期を待つ。具体的には、ＡＰ検出部２０９が、ＡＰの検出を行う次の所定の周期を待つ。
【００６０】
次に、無線通信端末２０の制御部２０８は、ＡＰが２．４ＧＨｚ帯と５ＧＨｚ帯の両方に対応することを検知した場合（Ｓ３０１でＹＥＳの場合）、Ｓ３０１で通信を行った周波数帯が２．４ＧＨｚ帯かを確認する（Ｓ３０２）。
【００６１】
具体的には、制御部２０８は、Ｓ３０１で対応周波数帯情報を受信できた周波数帯を記憶しているが、その周波数帯が２．４ＧＨｚ帯かを確認する。
【００６２】
次に、無線通信端末２０の制御部２０８は、通信を行った周波数帯が２．４ＧＨｚ帯だった場合（Ｓ３０２でＹＥＳの場合）、上述した「受信動作」により直近に取得された受信レベルと、通信品質に対応する値を確認する（Ｓ３０３）。
【００６３】
具体的には、無線通信端末２０の制御部２０８が、受信レベル測定部２０６から取得される受信レベルが所定のレベルより大きく、受信品質測定部２０７から取得される通信品質に対応する値が所定の値よりも小さいかを確認する。
【００６４】
次に、制御部２０８は、受信レベルが所定のレベルより大きく（Ｓ３０４でＹＥＳの場合）、且つ通信品質に対応する値、すなわち受信信号の誤り率が所定の値よりも小さいとき（Ｓ３０５でＹＥＳの場合）には、継続して２．４ＧＨｚ帯で通信を行う（Ｓ３０６）。具体的には、制御部２０８は、通信を行う周波数帯が２．４ＧＨｚ帯であることを記憶することのみを行う。
【００６５】
次に、無線通信端末２０の制御部２０８は、ＡＰ情報等記憶部２１１に、少なくともＡＰ識別情報（Ｓ３０１で取得）と、通信を行う周波数帯（Ｓ３０１で記憶）と、対応周波数帯情報（Ｓ３０１で取得）を関連づけて格納する（Ｓ３０７）。
【００６６】
ここで、図４の吹き出し部分に、ＡＰ情報等記憶部２１１に格納されたＡＰ情報群の例を記載した。図４では、ＡＰ識別情報がＥＳＳＩＤ（Ｅｘｔｅｎｄｅｄ  Ｓｅｒｖｉｃｅ  Ｓｅｔ  Ｉｄｅｎｔｉｆｉｅｒ）である場合を記載している。制御部２０８は、通信を行う周波数帯を通信周波数帯情報として記憶している。
【００６７】
また、制御部２０８は、受信レベルが所定のレベル以下（Ｓ３０４でＮｏの場合）か、通信品質に対応する値が所定の値以上のとき（Ｓ３０５でＮｏの場合）、所定量以上の妨害波が発生し、別の周波数帯に切り替えるべきと判断し、以下のＳ３０９〜Ｓ３１２を行う。その結果、制御部２０８は、通信を行う周波数帯を２．４ＧＨｚ帯から５ＧＨｚ帯に切り替える。
【００６８】
まず、制御部２０８は、通信周波数帯を５ＧＨｚ帯に変更することをＡＰに要求する（Ｓ３０９）。
【００６９】
具体的には、制御部２０８は、現在、使用している周波数帯を別の周波数帯に変更することを要求する信号、すなわち周波数帯切替要求信号をベースバンド信号に変換して変復調部２０５に出力する。次に、変復調部２０５等は、入力されたベースバンド信号（周波数帯切替要求信号）を、上述の「２．４ＧＨｚ帯送信動作」により、対向する無線通信装置１０に出力する。
【００７０】
次に、後述の「（５）無線通信装置１０の動作」に記載するが、無線通信装置１０は、周波数帯切替要求信号を受信した場合、通信を行う周波数帯を別の周波数帯に切り替えても通信可能か否かを示す応答信号を返してくる。さらに、無線通信装置１０は、現在の周波数帯を別の周波数帯に切り替えて通信可能な場合には、時刻を示す信号も返してくる。無線通信装置２０の制御部２０８は、上述の「受信動作」により無線通信装置１０からの応答信号と、時刻を示す信号とを受信する。
【００７１】
次に、制御部２０８は、受信した応答信号が、別の周波数帯に切り替えても通信可能であることを示す信号かを確認する（Ｓ３１０）。
【００７２】
次に、制御部２０８は、応答信号が、別の周波数帯に切り替えても通信可能であることを示す信号である場合（Ｓ３１０でＹＥＳの場合）、上述の「５ＧＨｚ帯を設定する動作」を行い、別の周波数帯（５ＧＨｚ帯）で通信を行う（Ｓ３１１）。
【００７３】
具体的には、制御部２０８は、周波数帯を示す信号として、５ＧＨｚ帯を示す信号と、
受信した、時刻を示す信号を周波数帯切替部２１０に出力する。その結果、上述の「５ＧＨｚ帯を設定する動作」が行われ、無線通信端末２０は、時刻を示す信号から認識される時刻に、通信を行う周波数帯を２．４ＧＨｚ帯から５ＧＨｚ帯に切り替える。制御部２０８は、通信を行う周波数帯が５ＧＨｚ帯であることを記憶する。
【００７４】
なお、後述の「（５）無線通信装置１０の動作」に記載するが、無線通信装置１０も時刻を示す信号から認識される時刻に周波数帯を５ＧＨｚ帯に切り替える。その結果、無線通信装置１０と無線通信端末２０は、同タイミングで５ＧＨｚ帯に切り替えることができる。
【００７５】
次に、無線通信端末２０の制御部２０８は、ＡＰ情報等記憶部２１１に、少なくともＡＰ識別情報（Ｓ３０１で検出）と、通信を行う周波数帯（Ｓ３１１で記憶）と、対応周波数帯情報（Ｓ３０１で取得）を関連づけ、ＡＰ情報群として格納する（Ｓ３１２）。なお、制御部２０８は、通信を行う周波数帯を通信周波数帯情報として記憶する。
【００７６】
次に、応答信号が、別の周波数帯に切り替え不可であることを示す信号である場合（Ｓ３１０でＮｏの場合）、制御部２０８は、上述のＳ３０６とＳ３０７を実施し、継続して周波数帯（２．４ＧＨｚ帯）で通信を行う。そして、制御部２０８は、通信を行う周波数帯が２．４ＧＨｚ帯であることを記憶する。
【００７７】
また、無線通信端末２０の制御部２０８は、ＡＰが２．４ＧＨｚ帯と５ＧＨｚ帯の両方に対応しない場合（Ｓ３０１でＮｏの場合）には、ＡＰが対応する周波数帯で通信を行う（Ｓ３０８）。
【００７８】
さらに、制御部２０８は、通信を行った周波数帯が２．４ＧＨｚ帯でなかった場合（Ｓ３０２でＮｏの場合）、以下のＳ４００〜Ｓ４０８を行って、通信を行う周波数帯を決定する。
【００７９】
まず、制御部２０８は、図６に示されるように、上述のＳ３０３で取得した、通信品質に対応する値と、受信レベルについて、受信レベルが所定のレベルより大きく、通信品質に対応する値が所定の値よりも小さいかを確認する（Ｓ４００）。
【００８０】
次に、無線通信端末２０の制御部２０８は、受信レベルが所定のレベルより大きく（Ｓ４０１でＹＥＳの場合）、且つ通信品質に対応する値が所定の値よりも小さいとき（Ｓ４０２でＹＥＳの場合）には、継続して５ＧＨｚ帯で通信を行う（Ｓ４０３）。具体的には、制御部２０８は、通信を行う周波数帯が５ＧＨｚ帯であることを記憶することのみを行う。
【００８１】
次に、無線通信端末２０の制御部２０８は、ＡＰ情報等記憶部２１１に、少なくともＡＰ識別情報（Ｓ３０１で検出）と、通信を行う周波数帯（Ｓ４０３で記憶）と、対応周波数帯情報（Ｓ３０１で取得）を関連づけて格納する（Ｓ４０４）。なお、制御部２０８は、通信を行う周波数帯を通信周波数帯情報として記憶する。
【００８２】
また、制御部２０８は、受信レベルが所定のレベル以下（Ｓ４０１でＮｏの場合）か、通信品質に対応する値が所定の値以上のとき（Ｓ４０２でＮｏの場合）、所定量以上の妨害波が発生し、別の周波数帯に切り替えるべきと判断し、以下のＳ４０５〜Ｓ４０８を行う。その結果、制御部２０８は、通信を行う周波数帯を５ＧＨｚ帯から２．４ＧＨｚ帯に切り替える。
【００８３】
まず、制御部２０８は、通信周波数帯を２．４ＧＨｚ帯に変更することをＡＰに要求する（Ｓ４０５）。
【００８４】
具体的には、制御部２０８は、周波数帯切替要求信号をベースバンド信号に変換して変復調部２０５に出力する。次に、変復調部２０５等は、入力されたベースバンド信号（周波数帯切替要求信号）を、上述の「５ＧＨｚ帯送信動作」により、対向する無線通信装置１０に出力する。
【００８５】
次に、後述の「（５）無線通信装置１０の動作」に記載するが、無線通信装置１０は、周波数帯切替要求信号を受信した場合、通信を行う周波数帯を別の周波数帯に切り替えても通信可能か否かを示す応答信号を返してくる。さらに、無線通信装置１０は、現在の周波数帯を別の周波数帯に切り替え可能な場合には、時刻を示す信号も返してくる。無線通信装置２０の制御部２０８は、上述の「受信動作」により無線通信装置１０からの応答信号と、時刻を示す信号とを受信する。
【００８６】
次に、制御部２０８は、受信した応答信号が、別の周波数帯に切り替えても通信可能であることを示す応答信号であるかを確認する（Ｓ４０６）。
【００８７】
次に、制御部２０８は、応答信号が、別の周波数帯に切り替えても通信可能であることを示す応答信号であった場合（Ｓ４０６でＹＥＳの場合）、上述の「２．４ＧＨｚ帯を設定する動作」を行い、別の周波数帯（２．４ＧＨｚ帯）で通信を行う（Ｓ４０７）。
【００８８】
具体的には、制御部２０８は、周波数帯を示す信号として、２．４ＧＨｚ帯を示す信号と、受信した、時刻を示す信号を周波数帯切替部２１０に出力する。その結果、上述の「２．４ＧＨｚ帯を設定する動作」が行われ、無線通信端末２０は、時刻を示す信号の時刻に、現在の周波数帯である５ＧＨｚ帯から２．４ＧＨｚ帯に、通信を行う周波数帯を切り替える。制御部２０８は、通信を行う周波数帯が２．４ＧＨｚ帯であることを記憶する。
【００８９】
次に、無線通信端末２０の制御部２０８は、ＡＰ情報等記憶部２１１に、少なくともＡＰ識別情報（Ｓ３０１で検出）と、通信を行う周波数帯（Ｓ４０７で記憶）と、対応周波数帯情報（Ｓ３０１で取得）を関連づけ、ＡＰ情報群として格納する（Ｓ４０８）。なお、制御部２０８は、通信を行う周波数帯を通信周波数帯情報として記憶する。
【００９０】
次に、応答信号が、別の周波数帯に切り替え不可であることを示す信号である場合（Ｓ４０６でＮｏの場合）、制御部２０８は、上述のＳ４０３とＳ４０４を実施し、今まで通信していた周波数帯（５ＧＨｚ帯）で通信を行う。そして、制御部２０８は、通信を行う周波数帯が５ＧＨｚ帯であることを記憶する。
【００９１】
以上、無線通信端末２０のＡＰを初めて検出するときの動作を説明した。
【００９２】
（５）無線通信装置１０の動作
次に、無線通信装置１０の動作を、図７Ａ、図７Ｂを用いて説明する。
【００９３】
まず、無線通信装置１０の通信機能部１００は、図７Ａに示されるように、無線通信端末２０から対応周波数帯確認信号（Ｓ３０１に上述）を受信したかを所定の周期毎に確認する（Ｓ５００）。
【００９４】
所定の周期は、本実施形態の無線通信装置１０のユーザによって通信機能部１００に設定される。
【００９５】
次に、通信機能部１００は、無線通信端末２０から対応周波数帯確認信号を受信した場合（Ｓ５００でＹｅｓの場合）、自身が保持する対応周波数帯情報を取得し、対応周波数帯情報を無線信号にして無線通信端末２０へ出力する（Ｓ５０１）。この際、通信機能部１００は、入力された対応周波数帯確認信号を切替準備部１０１に出力する。
【００９６】
次に、通信機能部１００は、無線通信端末２０から対応周波数帯確認信号を受信していなければ（Ｓ５００でＮｏの場合）には、次に確認する所定の周期を待つ。
【００９７】
次に、通信機能部１００は、図７Ｂに示されるように、無線通信端末２０から周波数帯切替要求信号（Ｓ３０１に上述）を受信したかを所定の周期毎に確認する（Ｓ５０２）。所定の周期は、本実施形態の無線通信装置１０のユーザによって通信機能部１００に設定される。
【００９８】
次に、通信機能部１００は、無線通信端末２０から周波数帯切替要求信号を受信した場合（Ｓ５０２でＹｅｓの場合）、自身が保持する対応周波数帯情報を取得し、自身が２．４ＧＨｚ帯と５ＧＨｚ帯の両方に対応するのかを確認する（Ｓ５０３）。
【００９９】
次に、通信機能部１００は、２．４ＧＨｚ帯と５ＧＨｚ帯の両方の周波数帯に対応する場合（Ｓ５０３でＹｅｓの場合）、両方の周波数帯に対応することを表す信号、すなわち両周波数帯対応信号を生成し、この信号を切替準備部１０１に出力する（Ｓ５０４）。
【０１００】
次に、通信機能部１００は、２．４ＧＨｚ帯と５ＧＨｚ帯の内、現在、通信を行う周波数帯を公知の機能で認識し、認識した周波数帯を表す信号、すなわち使用周波数帯対応信号を切替準備部１０１に出力する。さらに、通信機能部１００は、入力された周波数帯切替要求信号も切替準備部１０１に出力する。
【０１０１】
次に、切替準備部１０１は、周波数帯切替要求信号と、両周波数帯対応信号と、使用周波数帯対応信号が入力されると、使用周波数帯対応信号から現在、通信を行う周波数帯が２．４ＧＨｚ帯かを確認する（Ｓ５０５）。
【０１０２】
次に、切替準備部１０１は、現在、通信を行う周波数帯が２．４ＧＨｚ帯の場合（Ｓ５０５でＹｅｓの場合）、その周波数帯（２．４ＧＨｚ帯）を別の周波数帯（５ＧＨｚ帯）に変更しても通信可能か否かを判断する（Ｓ５０６）。
【０１０３】
具体的には、切替準備部１０１は、現在、通信を行う周波数帯（２．４ＧＨｚ帯）でのノイズ量と、別の周波数帯（５ＧＨｚ帯）でのノイズ量を公知の技術で測定する。次に、切替準備部１０１は、所定の条件、すなわち別の周波数帯（５ＧＨｚ帯）でのノイズ量が、現在、通信を行う周波数帯（２．４ＧＨｚ帯）でのノイズ量よりも小さいことを満たす場合に、別の周波数帯（５ＧＨｚ帯）に変更しても通信可能と判断する。
【０１０４】
次に、切替準備部１０１は、別の周波数帯（５ＧＨｚ帯）に変更しても通信可能と判断した場合（Ｓ５０６でＹｅｓの場合）、通信機能部１００がパケット送信中かを認識する（Ｓ５０７）。
【０１０５】
具体的には、通信機能部１００が、所定の周期毎に、パケット送信中かどうかを公知の機能により認識し、パケット送信中であるか、若しくはパケット送信中でないことを示す信号である、送信状態確認信号を切替準備部１０１に出力する。切替準備部１０１は、通信機能部１００から入力された送信状態確認信号からパケット送信中かを認識する。
【０１０６】
次に、切替準備部１０１は、通信機能部１００がパケット送信中であることを認識した場合（Ｓ５０７でＹｅｓの場合）、通信機能部１００から入力される送信状態確認信号がパケット送信中でない信号となり次第、以下のような周波数帯切替処理を行う（Ｓ５０８）。
【０１０７】
まず、切替準備部１０１は、別の周波数帯（５ＧＨｚ帯）に切り替えても通信可能であることを示す応答信号を通信機能部１００に出力する。さらに、切替準備部１０１は、周波数帯切替要求信号を受信した時刻から所定の時間経過した時刻を算出し、その時刻を一定の時刻とする。若しくは、切替準備部１０１は、応答信号を出力した時刻から所定の時間経過した時刻を算出し、その時刻を一定の時刻としてもよい。切替準備部１０１は、算出した一定の時刻を示す信号を通信機能部１００に出力し、次に、通信機能部１００は、入力された応答信号と、時刻を示す信号とを無線通信端末２０に出力する。上述の所定の時間は、切替準備部１０１が周波数帯切替要求信号を受信してから、時刻を示す信号が無線通信端末２０に届き、その信号無線通信端末２０の周波数帯切替部２１０に入力されるまでの時間より長い時間である。時刻を示す信号が無線通信端末２０の周波数帯切替部２１０に入力されることは、Ｓ３１１やＳ４０７に上述した通りである。ここで、切替準備部１０１が周波数帯切替要求信号を受信してから、時刻を示す信号が無線通信端末２０の周波数帯切替部２１０に入力されるまでの時間を以下、「準備時間」という。本実施形態の無線通信装置１０のユーザは、準備時間を実測して求め、その時間より長い時間を所定の時間として、切替準備部１０１に設定することができる。次に、切替準備部１０１は、別の周波数帯（５ＧＨｚ帯）に切り替えても通信可能であることを示す応答信号を出力した後、別の周波数帯（５ＧＨｚ帯）を示す信号である切替周波数帯信号と、一定の時刻を示す信号を切替実行部１０２に出力する。さらに、切替実行部１０２は、切替周波数帯信号と一定の時刻を示す信号が切替準備部１０１から入力されると、その信号が示す時刻が経過した時に、切替周波数帯信号を通信機能部１００に出力する。通信機能部１００は、切替実行部１０２から切替周波数帯信号が入力され次第、切替周波数帯信号が示す周波数帯（５ＧＨｚ帯）に切り替えて、無線通信を行う。
【０１０８】
次に、切替準備部１０１は、通信機能部１００がパケット送信中でないと認識した場合（Ｓ５０７でＮｏの場合）、上述のＳ５０８で行った周波数帯切替処理と同じ処理を行う（Ｓ５０９）。
【０１０９】
次に、切替準備部１０１は、現在、通信を行う周波数帯が２．４ＧＨｚ帯でない場合（Ｓ５０５でＮｏの場合）、現在、通信を行う周波数帯（５ＧＨｚ帯）を別の周波数帯（２．４ＧＨｚ帯）に変更して通信可能か否かを判断する（Ｓ５１１）。
【０１１０】
具体的には、切替準備部１０１は、所定の条件を満たす場合、すなわち別の周波数帯（２．４ＧＨｚ帯）でのノイズ量が、現在、通信を行う周波数帯（５ＧＨｚ帯）でのノイズ量よりも小さいことを満たす場合に、通信可能と判断する。
【０１１１】
次に、切替準備部１０１は、別の周波数帯（２．４ＧＨｚ帯）に変更しても通信可能と判断した場合（Ｓ５１１でＹｅｓの場合）、上述のＳ５０７〜Ｓ５０９の処理を行い、通信を行う周波数帯を周波数帯（５ＧＨｚ帯）に切り替える。
【０１１２】
次に、切替準備部１０１は、別の周波数帯（２．４ＧＨｚ帯）に変更して通信可能でないと判断した場合（Ｓ５１１でＮｏの場合）、切り替え不可であることを示す応答信号を通信機能部１００に出力する。そして、周波数帯に切り替え不可であることを示す応答信号が入力された通信機能部１００は、その応答信号を無線通信端末２０に通知する（Ｓ５１０）。
【０１１３】
次に、通信機能部１００は、２．４ＧＨｚ帯と５ＧＨｚ帯の両方の周波数帯に対応しない場合（Ｓ５０３でＮｏの場合）にも、Ｓ５１０と同様に、周波数帯に切り替え不可であることを示す応答信号を無線通信端末２０に通知する。
【０１１４】
以上、無線通信装置１０のＡＰを検出していないときの動作について説明した。
【０１１５】
（６）無線通信端末２０のＡＰを検出しているときの動作
図８は、本発明の第１の実施の形態における無線通信端末のＡＰを検出しているときの動作を説明する為の図である。また、図９は、本発明の第１の実施の形態における無線通信端末のＡＰを検出しているときの動作（図８の処理Ｃ部分の動作）を説明する為の図である。以下に、ＡＰを検出しているときの動作を、図８、９を用いて説明する。
【０１１６】
まず、無線通信端末２０の制御部２０８は、自身が保持しているＡＰ検出有無値を確認し、ＡＰを検出していることを示す値であれば、図８に示されるように、現在、通信を行う周波数帯が２．４ＧＨｚ帯かどうかを判定する（Ｓ６００）。
【０１１７】
制御部２０８は、上述のＳ３０６等で、通信を行う周波数帯を記憶しているので、Ｓ６００の判定を行うことができる。
【０１１８】
次に、制御部２０８は、通信を行う周波数帯が２．４ＧＨｚ帯であった場合（Ｓ６００でＹｅｓの場合）、上述のＳ３００と同様に、ＡＰの検出を行うことを指示する信号をＡＰ検出部２０９に出力し、ＡＰ検出部２０９がＡＰの検出を行う（Ｓ６０１）。
【０１１９】
次に、ＡＰ検出部２０９がＡＰを検出すると（Ｓ６０１でＹｅｓの場合）、制御部２０８は、ＡＰ情報等記憶部２１１に格納されているＡＰ情報群を取得し、検出されたＡＰが２．４ＧＨｚ帯と５ＧＨｚ帯の両方に対応するかを確認する（Ｓ６０２）。
【０１２０】
具体的には、ＡＰ検出部２０９は、ＡＰを検出した場合、ＡＰ検出を示す信号と、ＡＰ識別情報を制御部２０８に出力する。また、制御部２０８は、ＡＰ情報等記憶部２１１に格納されているＡＰ情報群を取得する。次に、制御部２０８は、入力されたＡＰ識別情報に対応する対応周波数帯情報を、ＡＰ情報群から取得する。そして、制御部２０８は、取得した対応周波数帯情報から、検出したＡＰが２．４ＧＨｚ帯と５ＧＨｚ帯の両方に対応するかを確認する。
【０１２１】
次に、ＡＰ検出部２０９は、ＡＰの検出ができなかった場合（Ｓ６０１でＮｏの場合）には、ＡＰの検出を行う次の周期を待つ。なお、制御部２０８は、所定の時間、ＡＰ検出部２０９からＡＰ検出を示す信号を受信しない場合、ＡＰ検出有無値を、ＡＰを検出していないことを示す値とし、ＡＰの検出を停止することを指示する信号をＡＰ検出部２０９に出力する。さらに、制御部２０８は、上述のＳ３００の動作に戻る。
【０１２２】
次に、制御部２０８は、ＡＰが２．４ＧＨｚ帯と５ＧＨｚ帯の両方に対応する場合（Ｓ６０２でＹＥＳの場合）、上述した「（４）無線通信端末２０のＡＰを検出していないときの動作」と同じ手順で、上述のＳ３０３〜Ｓ３０６、Ｓ３０９〜Ｓ３１１を行う。
【０１２３】
次に、Ｓ３１１を実施した制御部２０８は、Ｓ６０２で取得したＡＰ識別情報、Ｓ６００で確認した通信を行う周波数帯、およびＳ６０２で取得した対応周波数帯情報を関連づけ、ＡＰ情報群としてＡＰ情報等記憶部２１１に格納する（Ｓ６０３）。
【０１２４】
なお、制御部２０８は、Ｓ６００で確認した通信を行う周波数帯を、通信周波数帯情報として格納する。また、格納するＡＰ識別情報と同じＡＰ識別情報がすでにＡＰ情報等記憶部２１１に格納されていた場合、制御部２０８は、そのＡＰ識別情報に関連づけられている対応周波数帯情報や通信周波数帯情報を、格納する情報で更新する。
【０１２５】
次に、無線通信端末２０の制御部２０８は、ＡＰが２．４ＧＨｚ帯と５ＧＨｚ帯の両方に対応しないことが確認された場合（Ｓ６０２でＮｏの場合）、現在、通信を行う周波数帯２．４ＧＨｚ帯で継続して通信を行う（Ｓ６０４）。
【０１２６】
次に、制御部２０８は、現在、通信を行う周波数帯が２．４ＧＨｚ帯でない場合（Ｓ６００でＮｏの場合）には、図９に示されるように、現在、通信を行う周波数帯が５ＧＨｚ帯であると認識する（Ｓ６０５）
次に、制御部２０８は、上述のＳ３００と同様に、ＡＰの検出を行うことを指示する信号をＡＰ検出部２０９に出力し、ＡＰ検出部２０９がＡＰの検出を行う（Ｓ６０６）。
【０１２７】
次に、ＡＰ検出部２０９がＡＰを検出すると（Ｓ６０６でＹｅｓの場合）、制御部２０８は、ＡＰ情報等記憶部２１１に格納されているＡＰ情報群を取得し、検出したＡＰが２．４ＧＨｚ帯と５ＧＨｚ帯の両方に対応するかを確認する（Ｓ６０７）。
【０１２８】
具体的には、ＡＰ検出部２０９は、ＡＰを検出した場合、ＡＰ検出を示す信号と、ＡＰ識別情報を制御部２０８に出力する。次に、制御部２０８は、入力されたＡＰ識別情報に対応する対応周波数帯情報を、ＡＰ情報群から取得する。そして、制御部２０８は、取得した対応周波数帯情報から、検出したＡＰが２．４ＧＨｚ帯と５ＧＨｚ帯の両方に対応するかを確認する。
【０１２９】
次に、ＡＰ検出部２０９は、ＡＰの検出ができなかった場合（Ｓ６０６でＮｏの場合）には、ＡＰの検出を行う次の周期を待つ。なお、制御部２０８は、所定の時間、ＡＰ検出部２０９からＡＰ検出を示す信号を受信しない場合、ＡＰ検出有無値を、ＡＰを検出していないことを示す値とし、ＡＰの検出を停止することを指示する信号をＡＰ検出部２０９に出力する。さらに、制御部２０８は、上述のＳ３００の動作に戻る。
【０１３０】
次に、制御部２０８は、ＡＰが２．４ＧＨｚ帯と５ＧＨｚ帯の両方に対応する場合（Ｓ６０６でＹＥＳの場合）、上述した「（４）無線通信端末２０のＡＰを検出していないときの動作」と同じ手順で、上述のＳ４０１〜Ｓ４０３、Ｓ４０５〜Ｓ４０７を実施する。
【０１３１】
次に、Ｓ４０７を実施した制御部２０８は、Ｓ６０６で取得したＡＰ識別情報、Ｓ４０７で切り替えた周波数帯、およびＳ６０７で取得した対応周波数帯情報を関連づけ、ＡＰ情報群としてＡＰ情報等記憶部２１１に格納する（Ｓ６０９）。
【０１３２】
なお、制御部２０８は、Ｓ４０７で切り替えた周波数帯を通信周波数帯情報として記憶する。また、格納するＡＰ識別情報と同じＡＰ識別情報がすでにＡＰ情報等記憶部２１１に格納されていた場合、制御部２０８は、そのＡＰ識別情報に関連づけられている対応周波数帯情報や通信周波数帯情報を、格納する情報で更新する。
【０１３３】
次に、無線通信端末２０の制御部２０８は、ＡＰが２．４ＧＨｚ帯と５ＧＨｚ帯の両方に対応しないと確認した場合（Ｓ６０７でＮｏの場合）には、現在、通信を行う周波数帯５ＧＨｚ帯で継続して通信を行う（Ｓ６０８）。
【０１３４】
次に、制御部２０８は、上述のＳ６０４、Ｓ３０６、Ｓ６０３、Ｓ６０８、Ｓ４０３、Ｓ６０９のいずれかの処理が完了すると、上述のＳ６００に戻る。
【０１３５】
［効果の説明］
本実施形態によれば、無線通信機器である無線通信装置１０と無線通信端末２０は、通信を行う周波数帯を自動的に切り替える際、通信が長時間、中断してしまわないようにすることができる。その理由は、無線通信装置１０と無線通信端末２０がタイミングをあわせて、同時に周波数帯の切り替えを行うからである。
【０１３６】
［第２の実施の形態］
次に、本発明の第２の実施の形態について説明する。第１の実施の形態では、無線通信端末は、ＡＰを検出していないとき、受信レベル等を測定して、通信を行う周波数帯を求めたが、第２の実施の形態では、無線通信端末は、自己の位置を示す位置情報を用いて、通信を行う周波数帯を求める。
【０１３７】
［構成の説明］
図１０は、本発明の第２の実施の形態における無線通信端末の構成例を示す図である。また、図１１は、本発明の第２の実施の形態における無線通信端末が使用するＭＡＰ情報の具体例である。
【０１３８】
図１０に示されるように、第２の実施の形態における無線通信端末７０は、制御部２０８と、ＡＰ情報等記憶部２１１の代わりに、制御部７０８と、ＡＰ情報等記憶部７１１を備える。さらに、第２の実施の形態における無線通信端末７０は、ＧＰＳ（Ｇｌｏｂａｌ  Ｐｏｓｉｔｉｏｎｉｎｇ  Ｓｙｓｔｅｍ）アンテナ７１２と、ＧＰＳ無線部７１３と、ＧＰＳ復調部７１４と、位置情報判定部７１５も備える。
【０１３９】
ＧＰＳ無線部７１３は、ＧＰＳアンテナ７１２と、ＧＰＳ復調部７１４に接続され、ＧＰＳ復調部７１４は、位置情報判定部７１５と接続される。制御部７０８は、ＡＰ情報等記憶部７１１と、位置情報判定部７１５に接続される。
【０１４０】
ＧＰＳ無線部７１３と、ＧＰＳ復調部７１４と、位置情報判定部７１５は、電子回路やＦＰＧＡを用いて実現することができる。制御部７０８は、電子回路やＦＰＧＡ以外に、ＤＳＰやＣＰＵ等を用いて実現することができる。ＡＰ情報等記憶部７１１は、ＲＡＭ等のメモリによって実現される。
【０１４１】
（１）無線通信端末７０を構成する各機能部の機能
以下に無線通信端末７０を構成する各機能部の機能を説明する。
【０１４２】
ＧＰＳアンテナ７１２は、所定の周期でＧＰＳ衛星から送信された電波を受信し、高周波信号に変換して出力する。所定の周期は、本実施形態の無線通信端末７０のユーザによって、ＧＰＳアンテナ７１２に設定される。
【０１４３】
ＧＰＳ無線部７１３は、入力される高周波信号を増幅し、中間周波信号にダウンコンバートした後、Ａ／Ｄ変換を行い、デジタル信号として出力する。
【０１４４】
ＧＰＳ復調部７１４は、デジタル信号が入力されると、コード復調を行い、その結果得られる航法メッセージを出力する。
【０１４５】
位置情報判定部７１５は、航法メッセージが入力されると、無線通信端末７０の位置を公知の方法で計算する。位置情報判定部７１５は、無線通信端末７０の位置情報を要求する信号が入力されると、直近に計算した無線通信端末７０の位置を表す情報（以下、「位置情報」という）を出力する。
【０１４６】
制御部７０８は、ＡＰ検出を示す信号とＡＰ識別情報が入力されると、無線通信端末７０の位置情報を要求する信号を出力する。制御部７０８は、無線通信端末７０の位置情報が入力されると、ＭＡＰ情報を確認し、優先して通信すべき周波数帯を求める。ＭＡＰ情報とは、図１１に示す通り、通信エリアと、そこで通信可能な周波数帯が対応づけられたテーブルである。ＭＡＰ情報は、制御部７０８起動前に、本実施形態の無線通信端末７０のユーザによって制御部７０８に設定される。制御部７０８は、ＭＡＰ情報に記載される通信エリアの内、位置情報が示す位置を含む通信エリアを見つけ、そのエリアに対応づけられた周波数帯を、優先して通信すべき周波数帯とする。制御部７０８は、優先して通信すべき周波数帯が２．４ＧＨｚ帯であれば、２．４ＧＨｚ帯で通信を行うと共に、無線通信端末７０の位置情報を要求する信号を出力する。制御部７０８は、優先して通信すべき周波数帯が２．４ＧＨｚ帯でなければ、５ＧＨｚ帯で通信を行うと共に、無線通信端末７０の位置情報を要求する信号を出力する。また、制御部７０８は、通信を行う周波数帯を記憶する。さらに、制御部７０８は、無線通信端末７０の位置情報が入力されると、ＡＰ情報等記憶部７１１に、少なくとも入力された位置情報と、ＡＰ識別情報と、通信を行う周波数帯と、対応周波数帯情報とを関連づけて格納する。また、制御部７０８は、通信周波数帯を切り替えると、ＡＰ情報等記憶部７１１に、位置情報と、ＡＰ識別情報と、切り替えた後に通信を行う周波数帯と、対応周波数帯情報とを関連づけて格納する。この際、制御部７０８は、通信を行う周波数帯を通信周波数帯情報として格納する。さらに、制御部７０８は、通信を行う周波数帯を切り替えると、ＭＡＰ情報を更新する。更新の方法は、後述する動作の説明において詳細に説明する。
【０１４７】
ＡＰ情報等記憶部７１１は、ＲＡＭ（Ｒａｎｄｏｍ  Ａｃｃｅｓｓ  Ｍｅｍｏｒｙ）等のメモリである。
【０１４８】
なお、上述した以外の構成や機能は、第１の実施の形態のおける無線通信端末と同じであるので、同一の符号を付して説明を省略する。
【０１４９】
［動作の説明］
第２の実施の形態における無線通信端末は、通信を行う周波数帯を、位置情報とＭＡＰ情報を用いることで決定する。第２の実施の形態における無線通信端末の動作を以下に説明する。第２の実施の形態における無線通信端末の動作は、位置把握動作、ＡＰを検出していないときの動作、及びＡＰを検出しているときの動作の３つに分けられるので、それぞれ説明する。
【０１５０】
（１）無線通信端末７０の位置把握動作
まず、無線通信端末７０は、自分の位置を示す情報（以下、「位置情報」という）を計算する。具体的には、ＧＰＳアンテナ７１２が、所定の周期でＧＰＳ衛星から送信された電波を受信し、高周波信号としてＧＰＳ無線部７１３に出力する。ＧＰＳ無線部７１３は、高周波信号が入力されると、それを増幅し、中間周波信号にダウンコンバートした後、Ａ／Ｄ変換を行って、デジタル信号としてＧＰＳ復調部７１４に出力する。ＧＰＳ復調部７１４は、デジタル信号が入力されると、コード復調を行い、その結果得られる航法メッセージを位置情報判定部７１５に出力する。位置情報判定部７１５は、航法メッセージが入力されると、無線通信端末７０の位置を公知の方法で計算する。位置情報判定部７１５は、制御部７０８から位置情報を要求する信号が入力されると、直近に計算した無線通信端末７０の位置情報を制御部７０８に出力する。
【０１５１】
（２）無線通信端末７０のＡＰを検出していないときの動作
図１２は、本発明の第２の実施の形態における無線通信端末のＡＰを検出していないときの動作を説明する為の図である。図１２を用いて、無線通信端末７０のＡＰを検出していないときの動作を説明する。
【０１５２】
まず、無線通信端末７０の制御部７０８は、自身が保持しているＡＰ検出有無値を確認し、ＡＰ検出部２０９がＡＰを検出していないことを示す値であれば、以下の動作を行う。
【０１５３】
まず、無線通信端末７０は、図１２に示されるように、ＡＰの検出を行うことを指示する信号をＡＰ検出部２０９に出力し、その信号を受信したＡＰ検出部２０９は、ＡＰの検出を公知の方法で行う（Ｓ８００）。Ｓ８００は、上述のＳ３００と同じ動作である。
【０１５４】
次に、無線通信端末７０は、ＡＰの検出ができた場合（Ｓ８００でＹＥＳの場合）、無線通信端末７０の位置情報とＭＡＰ情報から、優先して通信すべき周波数帯を求める（Ｓ８０１）。
【０１５５】
具体的には、まず、無線通信端末７０のＡＰ検出部２０９は、ＡＰを検出した場合、ＡＰ検出を示す信号と、検出したＡＰに対応する識別子、すなわちＡＰ識別情報とを制御部７０８に出力する。次に、制御部７０８は、ＡＰ検出を示す信号とＡＰ識別情報が入力されると、無線通信端末７０の位置情報を要求する信号を位置情報判定部７１５に出力する。位置情報判定部７１５は、直近に計算した無線通信端末７０の位置情報を制御部７０８に出力する。制御部７０８は、無線通信端末７０の位置情報が入力されると、ＭＡＰ情報に記載される通信エリアの内、位置情報が示す位置を含む通信エリアを見つけ、そのエリアに対応づけられた通信可能な周波数帯を、優先して通信すべき周波数帯とする。例えば、制御部７０８は、図１１に記載されるＭＡＰ情報が設定されており、位置情報として東経１５度１分・北緯１５度１分が位置情報判定部７１５から入力されたとする。この場合、制御部７０８は、ＭＡＰ情報に記載される通信エリアの内、入力された位置情報の位置を含む通信エリアは、東経１５度１分／北緯１５度１分〜東経１５度１分／北緯１５度２分のエリアである。制御部７０８は、このエリアに対応づけられた通信可能な周波数帯２．４ＧＨｚ帯を、優先して通信すべき周波数帯とする。
【０１５６】
次に、無線通信端末７０は、Ｓ８００で検出したＡＰが２．４ＧＨｚ帯に対応するのか、５ＧＨｚ帯に対応するのか、若しくは両方に対応するのかをＡＰに問い合わせる（Ｓ８０２）。Ｓ８０２の具体的な動作は、上述のＳ３０１の動作と同じである。
【０１５７】
次に、無線通信端末７０の制御部７０８は、優先して通信すべき周波数帯（Ｓ８０１で取得）が２．４ＧＨｚ帯かを判定する（Ｓ８０３）。
【０１５８】
次に、無線通信端末７０は、優先して通信すべき周波数帯が２．４ＧＨｚ帯の場合（Ｓ８０３でＹＥＳの場合）、２．４ＧＨｚ帯で通信を行うと共に、無線通信端末７０の位置情報を取得する（Ｓ８０４）。
【０１５９】
具体的には、制御部７０８は、位置情報判定部７１５に対し、無線通信端末７０の位置情報を要求する信号を出力する。無線通信端末７０の位置情報を要求する信号が入力された位置情報判定部７１５は、直近に計算した無線通信端末７０の位置情報を制御部７０８に出力する。その結果、制御部７０８は、無線通信端末７０の位置情報を取得する。また、制御部７０８は、通信を行う周波数帯が２．４ＧＨｚ帯であることを記憶する。
【０１６０】
次に、制御部７０８は、ＡＰ情報等記憶部７１１に、少なくともＳ８０４で取得した位置情報と、Ｓ８０１で取得したＡＰ識別情報と、通信を行う周波数帯（２．４ＧＨｚ帯）と、Ｓ８０２で取得した対応周波数帯情報とを関連づけて格納する（Ｓ８０５）。なお、制御部７０８は、通信を行う周波数帯を通信周波数帯情報として格納する。
【０１６１】
次に、無線通信端末７０は、優先して通信すべき周波数帯が２．４ＧＨｚ帯でない場合（Ｓ８０３でＮｏの場合）、５ＧＨｚ帯で通信を行うと共に、無線通信端末７０の位置を把握する（Ｓ８０７）。
【０１６２】
具体的には、制御部７０８は、位置情報判定部７１５に対し、無線通信端末７０の位置情報を要求する信号を出力する。無線通信端末７０の位置情報を要求する信号が入力された位置情報判定部７１５は、直近に計算した無線通信端末７０の位置情報を制御部７０８に出力する。その結果、制御部７０８は、無線通信端末７０の位置情報を取得する。また、制御部７０８は、通信を行う周波数帯が５ＧＨｚ帯であることを記憶する。
【０１６３】
次に、制御部７０８は、ＡＰ情報等記憶部７１１に、少なくともＳ８０７で把握した位置情報と、Ｓ８０１で取得したＡＰ識別情報と、通信を行う周波数帯（５ＧＨｚ帯）と、Ｓ８０２で取得した対応周波数帯情報とを関連づけて格納する（Ｓ８０８）。なお、制御部７０８は、通信を行う周波数帯を通信周波数帯情報として格納する。
【０１６４】
ここで、ＡＰ情報等記憶部７１１に格納される、位置情報と、ＡＰ識別情報と、通信を行う周波数帯、すなわち通信周波数帯情報と、対応周波数帯情報とが関連づけられた情報群を以下、「位置情報付きＡＰ情報群」というものとする。
【０１６５】
以上、無線通信端末７０のＡＰを検出していないときの動作を説明した。
【０１６６】
（３）無線通信端末７０のＡＰを検出しているときの動作
図１３は、本発明の第２の実施の形態における無線通信端末のＡＰを検出しているときの動作を説明する為の図である。さらに、図１４は、本発明の第２の実施の形態における無線通信端末のＡＰを検出しているときの動作（図１３の処理Ｅ部分の動作）を説明する為の図である。図１３、図１４を用いて、ＡＰを検出しているときの動作を説明する。
【０１６７】
まず、無線通信端末７０は、図１３に示されるように、上述のＳ６００を行い、通信をしている周波数帯が２．４ＧＨｚ帯であるかを判定する。
【０１６８】
次に、無線通信端末７０は、通信をしている周波数帯が２．４ＧＨｚ帯である場合（Ｓ６００でＹｅｓの場合）、上述のＳ６０１を行い、検出したＡＰが２．４ＧＨｚ帯、５ＧＨｚ帯の両方に対応しているかを確認する（Ｓ１０００）。
【０１６９】
具体的には、ＡＰ検出部２０９は、ＡＰを検出した場合、ＡＰ検出を示す信号と、ＡＰ識別情報を制御部７０８に出力する。次に、制御部７０８が、位置情報付きＡＰ情報群をＡＰ情報等記憶部７１１から取得する。さらに、制御部７０８は、ＡＰ情報群から、入力されたＡＰ識別情報に対応する対応周波数帯情報を取得する。制御部７０８は、対応周波数帯情報から、検出したＡＰが２．４ＧＨｚ帯と５ＧＨｚ帯の両方に対応するかを確認する。
【０１７０】
次に、無線通信端末７０は、ＡＰが２．４ＧＨｚ帯と５ＧＨｚ帯の両方に対応する場合（Ｓ１０００でＹｅｓの場合）、上述した「無線通信端末２０のＡＰを検出していないときの動作」と同じ手順で、上述のＳ３０３〜Ｓ３０６、Ｓ３０９〜Ｓ３１１を行う。
【０１７１】
次に、無線通信端末７０は、ＡＰが２．４ＧＨｚ帯と５ＧＨｚ帯の両方に対応していない場合（Ｓ１０００でＮｏの場合）には、上述したＳ６０４を行い、２．４ＧＨｚ帯で通信を行う。
【０１７２】
次に、無線通信端末７０は、上述のＳ３１１を行い、通信を行う周波数帯を別の周波数帯に変更すると、位置情報付きＡＰ情報群と、ＭＡＰ情報の更新を行う（Ｓ１００１）。
【０１７３】
具体的には、制御部７０８が、Ｓ３１１を行い、通信を行う周波数帯を別の周波数帯に切り替えると、無線通信端末７０の位置情報を要求する信号を位置情報判定部７１５に出力し、位置情報判定部７１５から無線通信端末７０の位置情報を取得する。制御部７０８は、ＡＰ情報等記憶部７１１に、取得した位置情報と、Ｓ１０００で取得したＡＰ識別情報と、Ｓ３１１で切り替えた周波数帯と、Ｓ１０００で取得した対応周波数帯情報とを関連づけ、位置情報付きＡＰ情報群として格納する。この際、制御部７０８は、Ｓ３１１で切り替えた周波数帯を通信周波数帯情報として格納する。また、格納するＡＰ識別情報と同じＡＰ識別情報がすでにＡＰ情報等記憶部７１１に格納されていた場合、制御部７０８は、そのＡＰ識別情報に関連づけられている情報を、格納する情報で更新する。さらに、制御部７０８は、ＭＡＰ情報を以下の通りに更新する。なお、図１５は、本発明の第２の実施の形態における、位置情報付きＡＰ情報群の具体例である。
【０１７４】
（Ｉ）まず、制御部７０８は、ＡＰ情報等記憶部７１１に格納されている、位置情報付きＡＰ情報群を取得する。例えば、制御部７０８は、図１５の位置情報付きＡＰ情報群を取得したものとして説明を進める。
【０１７５】
（ＩＩ）次に、制御部７０８は、位置情報付きＡＰ情報群に記載されている位置情報の内、所定の距離内で、通信周波数帯情報が同じ位置情報の組み合わせを見つける。所定の距離は、本実施形態の無線通信端末７０のユーザによって制御部７０８に設定される。例えば、所定の距離が緯度１分と設定されていれば、図１５の場合、制御部７０８は、東経１５度１分／北緯１５度１分と東経１５度１分／北緯１５度２分、さらに東経３０度２分／北緯３０度１分と東経３０度２分／北緯３０度２分の２つの組み合わせを見つける。
【０１７６】
（ＩＩＩ）次に、制御部７０８は、（ＩＩ）で見つけた組み合わせ毎に、それぞれの位置情報、すなわち経度や緯度を含むエリアを求める。例えば、制御部７０８は、位置情報（東経１５度１分／北緯１５度１分）と位置情報（東経１５度１分／北緯１５度２分）の組み合わせの場合、これらを含むエリアとして、東経１５度１分／北緯１５度１分〜東経１５度１分／北緯１５度２分を求める。また、制御部７０８は、位置情報（東経３０度２分／北緯３０度１分）と位置情報（東経３０度２分／北緯３０度２分）の組み合わせの場合、これらを含むエリアとして、東経３０度２分／北緯３０度１分〜東経３０度２分／北緯３０度２分を求める。
【０１７７】
（ＩＶ）次に、制御部７０８は、（ＩＩＩ）で求めたエリアと、そのエリアに含まれる位置情報の通信周波数帯情報とを関連づけ、ＭＡＰ情報として保持する。図１５の場合、制御部７０８は、図１１に示されるＭＡＰ情報を保持することとなる。
【０１７８】
また、無線通信端末７０は、図１３において、通信をしている周波数帯が２．４ＧＨｚ帯でない場合（Ｓ６００でＮｏの場合）、図１４に示されるように、上述したＳ６０５、Ｓ６０６を行い、ＡＰを検出する。
【０１７９】
次に、無線通信端末７０は、ＡＰを検出したならば、検出したＡＰが２．４ＧＨｚ帯、５ＧＨｚ帯の両方に対応しているかを確認する（Ｓ１００２）。Ｓ１００２は、Ｓ１０００と同じ動作である。
【０１８０】
次に、無線通信端末７０は、ＡＰが２．４ＧＨｚ帯と５ＧＨｚ帯の両方に対応する場合（Ｓ１００２でＹｅｓの場合）、上述した「（６）無線通信端末２０のＡＰを検出しているときの動作」と同じ手順で、上述のＳ４０１〜Ｓ４０３、Ｓ４０５〜Ｓ４０７を行う。
【０１８１】
次に、Ｓ４０７を行った無線通信端末７０は、位置情報付きＡＰ情報群とＭＡＰ情報の更新を行う（Ｓ１００３）。
【０１８２】
具体的には、制御部７０８が、Ｓ４０７を行い、通信を行う周波数帯を別の周波数帯に切り替えると、無線通信端末７０の位置情報を要求する信号を位置情報判定部７１５に出力し、位置情報判定部７１５から無線通信端末７０の位置情報を取得する。制御部７０８は、ＡＰ情報等記憶部７１１に、取得した位置情報と、Ｓ１０００で取得したＡＰ識別情報と、Ｓ４０７で切り替えた周波数帯を示す通信周波数帯情報と、Ｓ１０００で取得した対応周波数帯情報とを関連づけ、位置情報付きＡＰ情報群として格納する。この際、格納するＡＰ識別情報と同じＡＰ識別情報がすでにＡＰ情報等記憶部７１１に格納されていた場合、制御部７０８は、そのＡＰ識別情報に関連づけられている情報を、格納する情報に更新する。さらに、制御部７０８は、上述した（Ｉ）〜（ＩＶ）を行って、ＭＡＰ情報を更新する。
【０１８３】
なお、制御部７０８は、ＡＰが２．４ＧＨｚ帯と５ＧＨｚ帯の両方に対応していない場合（Ｓ１００２でＮｏの場合）には、上述したＳ６０８を行い、５ＧＨｚ帯で通信を行う。
【０１８４】
次に、制御部７０８は、上述のＳ６０４、Ｓ３０６、Ｓ１００１、Ｓ６０８、Ｓ４０３、Ｓ１００３のいずれかの処理が完了すると、上述のＳ６００に戻る。
【０１８５】
その他の動作については、第１の実施の形態の動作と同様である為、詳細の説明を省略する。
【０１８６】
［効果の説明］
本実施形態によれば、無線通信端末は、以前検知していたＡＰを、移動等により再検知した場合、移動前の位置にいるのであれば、通信を行う周波数帯を、受信レベル等の判定等を行うことなく、求めることができる。受信レベル等の判定等とは、第１の実施形態の無線通信端末の動作であるＳ３０３〜Ｓ３０５、Ｓ３０９〜Ｓ３０５、Ｓ４００〜Ｓ４０２、Ｓ４０５〜Ｓ４０８である。
【０１８７】
その理由として、本実施形態の無線通信端末は、移動前の位置で通信を行っていた際の周波数帯を位置情報に関連づけて記憶し、移動前の位置に戻ってきたとき、その位置情報を基に、通信を行える周波数帯を得ることができるからである。
【０１８８】
［第３の実施の形態］
次に、本発明の第３の実施の形態について説明する。
【０１８９】
［構成の説明］
図１６は、本発明の第３の実施の形態における無線通信システムの構成例を示す図である。第３の実施の形態における無線通信システムは、無線通信装置１０００と、無線通信端末２０００から構成される。無線通信装置１０００は、無線通信端末２０００と無線伝送路で接続されている。なお、無線通信装置１０００は、無線ＬＡＮで用いられるアクセスポイントであり、無線通信端末２０００は、無線ＬＡＮに対応した端末であってもよい。
【０１９０】
無線通信装置１０００は、無線通信端末２０００と通信を行う周波数帯を、第１の周波数帯から第２の周波数帯に切り替えることが可能な無線通信装置である。無線通信装置１０００は、切替準備部と、切替実行部を含む。
【０１９１】
切替準備部は、無線通信端末２０００から第２の周波数帯への切り替えを要求する要求信号を受信すると、一定の時刻を算出し、算出した時刻に対応する信号を出力する。なお、一定の時刻を算出するにあたり、切替準備部は、上述の要求信号を受信した時刻から所定の時間経過した時刻を、一定の時刻として算出してもよい。所定の時間は、本実施形態の無線通信装置１０００のユーザによって、切替準備部に設定される。
【０１９２】
切替実行部は、時刻に対応する信号が入力されると、その信号が示す時刻が経過した時に、通信を行う第１の周波数帯を第２の周波数帯に切り替える。
【０１９３】
無線通信端末２０００は、無線通信装置１０００と通信を行う周波数帯を、第１の周波数帯から第２の周波数帯に切り替えることが可能な無線通信端末である。無線通信端末２０００は、制御部と、周波数帯切替部を含む。
【０１９４】
制御部は、第１の周波数帯で通信中、通信品質が劣化したと判断したとき、無線通信装置１０００に対し、第２の周波数帯への切り替えを要求する要求信号を出力する。
【０１９５】
周波数帯切替部は、時刻に対応する信号が入力されると、その信号が示す時刻が経過した時に、通信を行う第１の周波数帯を第２の周波数帯に切り替える。
【０１９６】
[動作の説明]
まず、無線通信端末２０００の制御部は、第１の周波数帯で通信中、通信品質が劣化したとき、無線通信装置１０００に対し、第２の周波数帯への切り替えを要求する要求信号を出力する。制御部は、第１の周波数帯で受信した信号の受信レベルが所定のレベル以下か、若しくは、受信した信号の誤り率が所定値以上であるときに、所定量以上の妨害波が発生したと判断してもよい。所定のレベルや所定値は、本実施形態の無線通信端末２０００のユーザが制御部に設定する。
【０１９７】
次に、無線通信装置１０００の切替準備部は、無線通信端末２０００から上述の要求信号を受信すると、一定の時刻を算出し、算出した時刻に対応する信号を出力する。出力先は、無線通信装置１０００の切替実行部と、無線通信端末２０００の周波数帯切替部である。なお、切替準備部は、上述の要求信号を受信した時刻から所定の時間経過した時刻を、一定の時刻として算出してもよい。
【０１９８】
次に、無線通信装置１０００の切替実行部は、時刻に対応する信号が入力されると、その信号が示す時刻が経過した時に、通信を行う第１の周波数帯を第２の周波数帯に切り替える。
【０１９９】
また、無線通信端末２０００の周波数帯切替部は、時刻に対応する信号が入力されると、その信号が示す時刻が経過した時に、通信を行う第１の周波数帯を第２の周波数帯に切り替える。
【０２００】
［効果の説明］
本実施形態によれば、無線通信機器である無線通信装置１０００と無線通信端末２０００は、通信を行う周波数帯を自動的に切り替える際、通信が長時間、中断してしまわないようにすることができる。その理由は、無線通信装置１０００と無線通信端末２０００がタイミングをあわせて、同時に周波数帯の切り替えを行うからである。
【０２０１】
なお、上述した実施の形態は、その形態に限定されるものではなく、実施段階ではその要旨を逸脱しない範囲で種々変更可能である。
【符号の説明】
【０２０２】
１０    無線通信装置
２０    無線通信端末
７０    無線通信端末
１００    通信機能部
１０１    切替準備部
１０２    切替実行部
２０１    アンテナ
２０２    分配部
２０３    ２．４ＧＨｚ用無線部
２０４    ５ＧＨｚ用無線部
２０５    変復調部
２０６    受信レベル測定部
２０７    受信品質測定部
２０８    制御部
２０９    ＡＰ検出部
２１０    周波数帯切替部
７０８    制御部
７１１    ＡＰ情報等記憶部
７１２    ＧＰＳアンテナ
７１３    ＧＰＳ無線部
７１４    ＧＰＳ復調部
７１５    位置情報判定部
１０００    無線通信装置
２０００    無線通信端末
【図１】
2014068134.tif 000003
【図２】
2014068134.tif 000004
【図３】
2014068134.tif 000005
【図４】
2014068134.tif 000006
【図５】
2014068134.tif 000007
【図６】
2014068134.tif 000008
【図７Ａ】
2014068134.tif 000009
【図７Ｂ】
2014068134.tif 000010
【図８】
2014068134.tif 000011
【図９】
2014068134.tif 000012
【図１０】
2014068134.tif 000013
【図１１】
2014068134.tif 000014
【図１２】
2014068134.tif 000015
【図１３】
2014068134.tif 000016
【図１４】
2014068134.tif 000017
【図１５】
2014068134.tif 000018
【図１６】
2014068134.tif 000019